(57)【要約】【課題】アクセスしているウェブページに関連するウェブページを、使用者の少ない入力操作によって検索する。【解決手段】関連ページ検索管理部は、ブラウザ部の動作開始を契機に、使用者による入力操作なしに動作を開始し（ステップＳ２１ａ）、ブラウザ部がウェブページのダウンロードを開始し、キーワード抽出部がキーワード抽出を開始すると、キーワード抽出中アイコンを表示し（ステップＳ２１ｃ）、更に、キーワード抽出を終了すると、機能稼働中アイコンを表示する（ステップＳ２１ｅ）。この機能稼働中アイコンに対する使用者による入力操作に従って（ステップＳ２１ｆの「タッチされた」）、関連ページ検索管理部は、ブラウザ部がダウンロードしたウェブページから抽出されたキーワードを用いたウェブページ検索に進む。【選択図】  図３
2011164855.tif 000002
【特許請求の範囲】
【請求項１】
ウェブページのダウンロードがブラウザ手段によって開始されると、アイコンを第１の表示形態で表示手段に表示し、
そのウェブページのダウンロードが前記ブラウザ手段によって終了され、かつ、そのダウンロードされたウェブページから検索キーワードがキーワード抽出手段によって抽出された場合、前記アイコンを第２の表示形態に変更して前記表示手段に表示し、
その第２の表示形態で表示されたアイコンに対する操作が入力手段からされた場合、検索キーワードによってウェブページ検索を行う関連ページ検索手段を有し、
前記検索キーワードによって行うウェブページ検索は、前記抽出された検索キーワードを指定して検索サイトに行わせる検索、又は、前記抽出された検索キーワードを前記表示手段に表示し、その表示された検索キーワードから前記入力手段によって選択された、若しくは、前記入力手段によって入力された検索キーワードを指定して検索サイトに行わせる検索である
ことを特徴とする情報処理装置。
【請求項２】
制御手段を更に有し、
前記表示手段の表示画面は、前記制御手段によって表示される第１の部分と、前記ブラウザ手段及び前記関連ページ検索手段によって表示される第２の部分とを含み、
前記関連ページ検索手段は、前記アイコンを前記制御手段に要求して前記第１の部分に表示させ、前記抽出された検索キーワードに係る表示及び前記検索キーワードの入力に係る表示を前記第２の部分に表示する
ことを特徴とする請求項１に記載の情報処理装置。
【請求項３】
前記ブラウザ手段は、前記ダウンロードされたウェブページを前記第２の部分に表示し、
前記関連ページ検索手段は、前記第２の表示形態で表示されたアイコンに対する操作が前記入力手段からされた後、前記第２の部分であって、かつ、前記抽出された検索キーワードに係る表示及び前記検索キーワードの入力に係る表示がされていない部分に、前記第２の表示形態で表示されたアイコンに対する操作が前記入力手段からされた際、前記ブラウザ手段によって表示されていたダウンロードされたウェブページを表示する
ことを特徴とする請求項２に記載の情報処理装置。
【請求項４】
ウェブページをダウンロードするブラウザ手段と、
前記ブラウザ手段によってダウンロードされたウェブページから検索キーワードを抽出するキーワード抽出手段と、
前記キーワード抽出手段によって検索キーワードが抽出された場合、アイコンを表示手段に表示し、そのアイコンに対する操作が入力手段からされると、前記抽出された検索キーワード、及び／又は、検索カテゴリの一覧を前記表示手段に表示し、その検索キーワードの１つ、及び／又は、その検索カテゴリの１つが前記入力手段の操作によって選択されると前記選択された検索キーワード、及び／又は、前記選択された検索カテゴリを指定してウェブページ検索を行う関連ページ検索手段とを有する
ことを特徴とする情報処理装置。
【請求項５】
前記関連ページ検索手段は、検索キーワードと前記検索カテゴリとの対応を記憶し、前記抽出された検索キーワードに対応付けて記憶された検索カテゴリの一覧を前記表示手段に表示する、又は、その抽出された検索キーワードに対応付けて記憶された検索カテゴリが選択されたとみなす
ことを特徴とする請求項４に記載の情報処理装置。
【請求項６】
制御手段を更に有し、
前記表示手段の表示画面は、前記制御手段によって表示される第１の部分と、前記ブラウザ手段及び前記関連ページ検索手段によって表示される第２の部分とを含み、
前記関連ページ検索手段は、前記アイコンを前記制御手段に要求して前記第１の部分に表示させ、前記一覧を前記第２の部分に表示する
ことを特徴とする請求項４に記載の情報処理装置。
【請求項７】
前記ブラウザ手段は、前記ダウンロードされたウェブページを前記第２の部分に表示し、
前記関連ページ検索手段は、前記アイコンに対する操作が前記入力手段からされた後、前記第２の部分であって、かつ、前記一覧が表示されていない部分に、前記アイコンに対する操作が前記入力手段からされた際、前記ブラウザ手段によって表示されていたダウンロードされたウェブページを表示する
ことを特徴とする請求項６に記載の情報処理装置。
【請求項８】
前記関連ページ検索手段は、前記ブラウザ手段によって表示されていたダウンロードされたウェブページの表示形態を変化させて表示する
ことを特徴とする請求項３又は請求項７に記載の情報処理装置。
【請求項９】
前記表示手段の表示画面が第１の方向に置かれているか、第２の方向に置かれているかを検出する方向検出手段を更に有し、
前記関連ページ検索手段は、前記方向検出手段によって第１の方向に置かれていると検出された場合、前記第１の方向に置かれている際に前記ブラウザ手段によって表示されていた、又は、表示されるダウンロードされたウェブページを表示し、前記方向検出手段によって第２の方向に置かれていると検出された場合、前記第２の方向に置かれている際に前記ブラウザ手段によって表示されていた、又は、表示されるダウンロードされたウェブページを表示する
ことを特徴とする請求項３又は請求項７に記載の情報処理装置。
【請求項１０】
前記関連ページ検索手段は、前記キーワード抽出手段によって検索キーワードが抽出されなかった場合、抽出されなかった旨を示すアイコンを前記表示手段に表示する
ことを特徴とする請求項１又は請求項４に記載の情報処理装置。
【発明の詳細な説明】
【技術分野】
【０００１】
本発明は情報処理装置に係り、特に、ウェブページを検索する処理に関する。
【背景技術】
【０００２】
インターネットには、１つ又は複数のウェブページからなる数多くのウェブサイトが接続されている。そこで、インターネットに接続された情報処理装置は、ウェブページへアクセスすることによって多種多様な情報を使用者へ提供することができる。ここで、ウェブページとは、ｈｔｍｌ言語（HyperText Markup Language）によって記述されたファイルに対応する。また、ウェブページは、ＵＲＬ（Uniform Resource Locator）によって識別される。そして、ウェブサイトは、ウェブページを記憶する装置である。
【０００３】
しかし、数多くのウェブページへのアクセスが可能であるため、装置の使用者は、有用なウェブページを見つけることが困難である。そこで、装置の使用者は、アクセスしているウェブページに含まれる注目する語彙を指定し、装置は、指定された語彙をキーワードとし、更に、その語彙周辺の文字列からキーワードを抽出し、それらのキーワードを指定してウェブページを検索し、検索されたウェブページへアクセスする処理が知られている（例えば、特許文献１参照。）。
【先行技術文献】
【特許文献】
【０００４】
【特許文献１】特開２００９−１２９０９８号公報（第２頁、図１、図３）
【発明の概要】
【発明が解決しようとする課題】
【０００５】
しかしながら、上述した特許文献１に開示されている方法では、装置にウェブページを検索させるために、装置の使用者は、注目する語彙を選択して指定する必要があった。そのために語彙の意味を熟慮することと、選択した語彙を誤り無く指定する操作とが避けられず、その結果、手軽に検索をさせることができない問題点があった。
【０００６】
本発明は上記問題点を解決するためになされたもので、アクセスしているウェブページに関連するウェブページを、使用者の少ない入力操作によって検索する情報処理装置を提供することを目的とする。
【課題を解決するための手段】
【０００７】
上記目的を達成するために、本発明の情報処理装置は、ウェブページのダウンロードがブラウザ手段によって開始されると、アイコンを第１の表示形態で表示手段に表示し、そのウェブページのダウンロードが前記ブラウザ手段によって終了され、かつ、そのダウンロードされたウェブページから検索キーワードがキーワード抽出手段によって抽出された場合、前記アイコンを第２の表示形態に変更して前記表示手段に表示し、その第２の表示形態で表示されたアイコンに対する操作が入力手段からされた場合、検索キーワードによってウェブページ検索を行う関連ページ検索手段を有し、前記検索キーワードによって行うウェブページ検索は、前記抽出された検索キーワードを指定して検索サイトに行わせる検索、又は、前記抽出された検索キーワードを前記表示手段に表示し、その表示された検索キーワードから前記入力手段によって選択された、若しくは、前記入力手段によって入力された検索キーワードを指定して検索サイトに行わせる検索であることを特徴とする。
【発明の効果】
【０００８】
本発明によれば、アクセスしているウェブページに関連するウェブページを、使用者の少ない入力操作によって検索することができる。
【図面の簡単な説明】
【０００９】
【図１】本発明の第１の実施形態に係る移動通信装置の構成を示すブロック図。
【図２】本発明の第１の実施形態に係る関連ページ検索部の構成を示すブロック図。
【図３】本発明の第１の実施形態に係る関連ページ検索管理部がアクセスしているウェブページに関連するウェブページの検索を制御する動作のフローチャート（その１）。
【図４】本発明の第１の実施形態に係る関連ページ検索管理部がアクセスしているウェブページに関連するウェブページの検索を制御する動作のフローチャート（その２）。
【図５】本発明の第１の実施形態に係るブラウザ部及び関連ページ検索管理部が表示部に表示させる画像の一例（その１）。
【図６】本発明の第１の実施形態に係るブラウザ部及び関連ページ検索管理部が表示部に表示させる画像の一例（その２）。
【図７】本発明の第１の実施形態に係るブラウザ部及び関連ページ検索管理部が表示部に表示させる画像の一例（その３）。
【図８】本発明の第１の実施形態に係るブラウザ部及び関連ページ検索管理部が表示部に表示させる画像の一例（その４）。
【図９】本発明の第２の実施形態に係る関連ページ検索管理部が表示部に表示させる機能稼働中アイコンタッチ後画面の第１の例。
【図１０】本発明の第２の実施形態に係る関連ページ検索管理部が表示部にＱＷＥＲＴＹ方式のソフトキーボードを表示させた例。
【図１１】本発明の第２の実施形態に係る関連ページ検索管理部が表示部に表示させる機能稼働中アイコンタッチ後画面の第２の例。
【図１２】本発明の第２の実施形態に係る関連ページ検索管理部が表示部に表示させる機能稼働中アイコンタッチ後画面の第３の例。
【図１３】本発明の第２の実施形態に係る関連ページ検索管理部が表示部に表示させる機能稼働中アイコンタッチ後画面の第４の例。
【図１４】本発明の第２の実施形態に係る関連ページ検索管理部が表示部に表示させる検索結果画面の例。
【図１５】本発明の第３の実施形態に係るブラウザ部及び関連ページ検索管理部が表示部に表示させる画像の一例（その１）。
【図１６】本発明の第３の実施形態に係るブラウザ部及び関連ページ検索管理部が表示部に表示させる画像の一例（その２）。
【図１７】本発明の第３の実施形態に係るブラウザ部及び関連ページ検索管理部が表示部に表示させる画像の一例（その３）。
【図１８】本発明の第４の実施形態に係る関連ページ検索管理部が表示部に表示させる機能稼働中アイコンタッチ後画面の第１の例。
【図１９】本発明の第４の実施形態に係る関連ページ検索管理部が表示部にＱＷＥＲＴＹ方式のソフトキーボードを表示させた例。
【図２０】本発明の第４の実施形態に係る関連ページ検索管理部が表示部に表示させる機能稼働中アイコンタッチ後画面の第２の例。
【図２１】本発明の第４の実施形態に係る関連ページ検索管理部が表示部に表示させる機能稼働中アイコンタッチ後画面の第３の例。
【図２２】本発明の第４の実施形態に係る関連ページ検索管理部が表示部に表示させる機能稼働中アイコンタッチ後画面の第４の例。
【図２３】本発明の第４の実施形態に係る関連ページ検索管理部が表示部に表示させる機能稼働中アイコンタッチ後画面の第５の例。
【図２４】本発明の第５の実施形態に係る関連ページ検索管理部が表示部に表示させる横長の機能稼働中アイコンタッチ後画面の例。
【発明を実施するための形態】
【００１０】
以下に、本発明の情報処理装置が適用された移動通信装置の実施の形態を、図面を参照して説明する。
【００１１】
（第１の実施形態）
図１は、本発明の第１の実施形態に係る移動通信装置の構成を示すブロック図である。この移動通信装置は、装置全体の制御を行い、ＯＳの機能を含む制御部１１と、移動通信網通信部１２と、移動通信網の基地局（図示せず）との間で電波の送受信を行うアンテナ１２ａと、移動通信網送受信部１３と、通話部１４と、受話に用いられるスピーカ１４ａと、送話に用いられるマイクロフォン１４ｂと、表示部１５と、タッチパッド１６と、キー入力部１６ａと、ブラウザ部１７と、関連ページ検索部２０とからなる。なお、移動通信網は、インターネットと接続されている。また、タッチパッド１６は、表示部１５の表示画面を覆って設置され、表示部１５と共に、タッチパネルを構成する。
【００１２】
図２は、関連ページ検索部２０の詳細な構成を示すブロック図である。関連ページ検索部２０は、関連ページ検索部２０内の各部の管理を行う関連ページ検索管理部２１と、制御部１１及びブラウザ部１７と接続されるブラウザ連携部２２と、本文領域抽出部２３と、形態素解析用の辞書２４と、キーワード抽出部２５と、キーワード記憶部２６と、移動通信網送受信部１３と接続される検索クエリ生成部２７と、移動通信網送受信部１３と接続される検索結果解析部２８と、表示部１５及びタッチパッド１６と接続されるＵＩ入出力部２９とからなる。なお、図２で、信号の流れを矢印を付した実線で、また、記憶された情報の参照を矢印を付した破線で示したが、これらの線及び矢印の向きは、各部の動作の理解を容易にするためのものであり、全ての信号の流れや情報の参照を示すものではない。
【００１３】
上記のように構成された、本発明の第１の実施形態に係る移動通信装置の各部の動作を、図１及び図２を参照して説明する。移動通信網通信部１２は、基地局から送信され、アンテナ１２ａが受信した高周波信号を移動通信網送受信部１３へ送信し、また、移動通信網送受信部１３から送信される高周波信号を、アンテナ１２ａを介して基地局に送信する。
【００１４】
移動通信網送受信部１３は、移動通信網通信部１２からの高周波信号を増幅、周波数変換及び復調し、ディジタル音声信号を通話部１４へ、制御信号を制御部１１へ、また、ウェブページに係る信号を制御部１１を介して、装置の各部へ送信する。
【００１５】
移動通信網送受信部１３は、更には、通話部１４から送信されるディジタル音声信号、及び制御部１１から送信される制御信号、また、装置の各部から送信されたウェブページのアクセスに係る信号を変調、周波数変換及び増幅し、高周波信号を得て、それを移動通信網通信部１２に送る。
【００１６】
通話部１４は、移動通信網送受信部１３から送信されるディジタル音声信号をアナログ音声信号に変換し、それを増幅してスピーカ１４ａに送る。また、マイクロフォン１４ｂから送信されるアナログ音声信号を増幅し、それをディジタル音声信号に変換して移動通信網送受信部１３に送信する。
【００１７】
表示部１５は、使用者に操作を促す表示や、使用者が操作した内容の表示や、装置の動作状態の表示等に用いられる有機ＥＬディスプレー、又は、バックライト付きのＬＣＤであって、ドライバプログラムを含み、制御部１１及び装置の各部に制御されることで、文字、数字、更に、アイコンを含む画像データを表示する。また、操作を識別する画像データを表示する。
【００１８】
タッチパッド１６は、接触を検出する素子とドライバプログラムとからなり、所定の時間に渡って指等が接触された場合、その接触を検出する。タッチパッド１６が接触されたか否かを判断する方式は、圧力の変化を感知する感圧式であっても、指等との間の静電容量の変化を検出する静電容量式であっても、その他の方法であっても良い。接触が検出された場合、タッチパッド１６は、接触された位置を示す座標を制御部１１へ送信する。なお、その座標の通知を装置の各部が要求した場合、制御部１１に代えて、その部へ接触された位置を示す座標を送信する。
【００１９】
タッチパッド１６は、表示部１５と共にタッチパネルを構成する。そこで、画像データが表示された表示部１５の表示画面の位置に指等が接触されると、接触された位置の座標が送信され、その座標を受信した装置の各部は、上記画像データによって識別される動作をすることにより、装置の使用者に分かり易いユーザインターフェースを提供することができる。
【００２０】
なお、厳密には、指等が接触され、その接触点が移動しないまま、その接触が行われなくなった場合、また、その接触が保たれたまま接触点が移動して、移動した接触点で接触が行われなくなった場合、装置の各部は、上記識別される動作をする。しかし、説明を簡明にするため、指等が接触され、その接触点が移動しないまま、その接触が行われなくなった場合を、単に接触された場合と称して説明をすることがある。
【００２１】
例えば、装置の処理部を識別する画像が表示された位置に接触されると、その処理部が起動される。また、ＱＷＥＲＴＹ方式のキーボードが表示され、各キーが表示された位置に接触されると、そのキーで識別される文字が入力される。このように、タッチパッド１６によって、装置の使用者による入力操作が行われる。
【００２２】
そこで、以後、タッチパッド１６への指等の接触を、タッチパッド１６からの入力操作と称する。また、その接触をタッチと称する。更に、上記画像データのように、その画像が表示された位置へのタッチによって入力操作が行われる画像をソフトキーと称する。また、上記の文字入力のために表示されるキーボードをソフトキーボードと称する。なお、表示された位置へのタッチによって入力操作が行われない画像はソフトキーではない。
【００２３】
キー入力部１６ａは、装置の使用者によって押下される操作キーからなり、操作キーが押下されると、そのキーの識別子を制御部１１に通知する。操作キーは、電源のオン、オフキー、通話の際の音量の調整キー、通話の着呼、発信、終話キー等の限られた指示を入力するためのキーからなる。
【００２４】
ブラウザ部１７は、タッチパッド１６又はキー入力部１６ａからの入力操作によって動作を開始し、定められたＵＲＬによって識別されるウェブページへアクセスする。そして、そのウェブページに含まれる静止画像及び動画像、並びに、文字を表示部１５に表示させ、音声をスピーカ１４ａ又は音声発生用の第２のスピーカ（図示せず）から発生させる。
【００２５】
また、ブラウザ部１７は、タッチパッド１６からの入力操作によってＵＲＬが指定された場合、そのＵＲＬによって識別されるウェブページへアクセスする。更には、リンクが表示された位置へのタッチに従い、そのリンクに対応付けられたＵＲＬによって識別されるウェブページへアクセスする。ブラウザ部１７は、タッチパッド１６又はキー入力部１６ａからの入力操作によって動作を終了する。
【００２６】
関連ページ検索管理部２１は、ブラウザ部１７が動作を開始したことを契機とするブラウザ連携部２２からの指示に基づいて動作を開始する。そして、ＵＩ入出力部２９を介して通知されたタッチパッド１６からの入力操作に基づいて、キーワード抽出部２５によって抽出されたキーワード等を指定し、検索クエリ生成部２７を制御して検索サイトにウェブページを検索させる。
【００２７】
そして、関連ページ検索管理部２１は、検索結果解析部２８に、その検索結果を解析させる。そして、ＵＩ入出力部２９を介して表示部１５に解析された検索結果の一覧を表示させる。更に、ＵＩ入出力部２９を介して通知されたタッチパッド１６からの入力操作に基づいて選択された検索結果のＵＲＬを、ブラウザ連携部２２を介してブラウザ部１７に通知して、そのＵＲＬへアクセスさせる。
【００２８】
ブラウザ連携部２２は、ブラウザ部１７へのプラグインであり、ブラウザ部１７の動作開始によって動作を開始し、直ちに関連ページ検索管理部２１を起動する。そして、制御部１１からブラウザ部１７へのメッセージを、ブラウザ部１７に代わって受信する設定とする。そして、受信されたメッセージをブラウザ部１７に送信すると共に、関連ページ検索部２０内へ送信する。ここで、メッセージは、ブラウザ部１７への制御信号と、ブラウザ部１７がダウンロードしたウェブページデータ（ｈｔｍｌファイル）とを含む。また、ブラウザ連携部２２は、ブラウザ部１７内のイベントを受信して、そのイベントを関連ページ検索部２０内へ送信し、更に、ブラウザ部１７内のデータを取得して、関連ページ検索部２０内へ送信する。
【００２９】
ブラウザ連携部２２が、制御部１１からブラウザ部１７へのメッセージをブラウザ部１７に代わって受信する方法の一例を説明する。制御部１１がブラウザ部１７に属する関数を呼び、コールバック関数を介してそのメッセージの送信が行われている場合、ブラウザ連携部２２は、ブラウザ部１７に属する関数に代えて、ブラウザ連携部２２に属する関数を制御部１１が呼ぶように、制御部１１が参照する関数のアドレスを書き換える。そして、コールバック関数を介してそのメッセージを受信し、制御部１１に代わってブラウザ部１７にそのメッセージを送信する。この動作によって、ブラウザ部１７の動作に何ら影響を与えることなく、そのメッセージを関連ページ検索部２０内で用いることができる。
【００３０】
ブラウザ連携部２２によって受信される制御部１１からブラウザ部１７への制御信号とは、ＵＲＬによって指定されたウェブページへのアクセス指示等である。また、ブラウザ連携部２２によって受信されるブラウザ部１７内のイベントとは、ウェブページのダウンロード開始、そのダウンロード終了等である。ブラウザ連携部２２は、これらの制御信号とイベントとを関連ページ検索管理部２１に通知する。また、ブラウザ連携部２２は、ブラウザ部１７からダウンロード終了の通知を受信すると、ダウンロードされたウェブページデータをブラウザ部１７から取得する。そして、そのデータを本文領域抽出部２３へ送信し、本文領域抽出部２３と、キーワード抽出部２５とを順次動作させた後、それらの動作終了を関連ページ検索管理部２１に通知する。
【００３１】
また、ブラウザ連携部２２は、制御部１１に代り、ブラウザ部１７へメッセージを送信する。このメッセージは、ＵＲＬによって指定されたウェブページへのアクセスを指示する制御信号である。なお、このＵＲＬは、関連ページ検索管理部２１からブラウザ連携部２２へ通知される。
【００３２】
本文領域抽出部２３は、ブラウザ連携部２２の指示に従って動作を開始し、ブラウザ連携部２２から送信されたウェブページの中から本文を抽出する。即ち、ウェブページは、ｈｔｍｌ言語で記述されているので、その文字列から、タグ、広告、ウェブサイトを運営する者の名称、目次等の本文以外の文字列を取り除いて本文とする。本文と、本文以外とは、例えば、文字種別を含む、文字列の統計量によって判断される。本文領域抽出部２３は、抽出された本文をキーワード抽出部２５に送信する。
【００３３】
キーワード抽出部２５は、ブラウザ連携部２２の指示に従って動作を開始し、本文領域抽出部２３によって抽出された本文から１つ又は複数のキーワードを抽出し、抽出されたキーワードそれぞれにスコアを付して、キーワード記憶部２６に記憶させ、キーワード抽出終了をブラウザ連携部２２に通知する。即ち、まず、その本文を、辞書２４を参照して形態素解析する。得られた形態素の中で、次の条件の全部又は定められた一部をより多く満たす形態素をキーワードとし、満たす条件の数をスコアとする。
【００３４】
条件を例示すれば、第１に辞書２４に記憶されていること、第２に名詞であると記憶されていること、第３に固有名詞であると記憶されていること、第４に氏名であると記憶されていること、第５に本文の冒頭に現れていること、第６に本文に現れる回数が多いこと、第７に形態素の表記文字の種類（漢字、平仮名文字、カタカナ文字、又は、アルファベット文字のいずれか、又は、組合せ）の指定である。
【００３５】
第８に関連ページ検索部２０内に記憶された語である。この語は、使用者の嗜好に応じて使用者の入力操作に従って記憶される。第９に使用者の嗜好と、意味属性とが近い関係にあることである。ここで、辞書２４には、形態素に関連付けて意味属性が記憶されており、装置は使用者の嗜好を記憶するとする。なお、辞書２４に意味属性が記憶されている場合、キーワード抽出部２５は、抽出されたキーワードに、そのキーワードに関連付けられた意味属性を付して、キーワード記憶部２６に記憶させる。
【００３６】
なお、使用者の嗜好とは、例えば、スポーツ、サッカー、音楽、ジャズ等であるが、使用者の属性、例えば、性別、年齢、住所等を含む。辞書２４に記憶される意味属性が、音楽、スポーツ等、嗜好に比較すれば広い概念である場合、例えば、サッカーはスポーツに含まれる旨のシソーラスが併せて辞書２４に記憶され、サッカーとスポーツは近い関係にあるとされる。使用者の嗜好は、関連ページ検索部２０内に記憶されても良く、制御部１１内に使用者に係る情報の一部として記憶されても良い。
【００３７】
第１０に、括弧、例えば、『「』及び『」』や、『（』及び『）』で囲まれている文字列である。なお、この文字列は、辞書２４を参照した形態素解析の結果、形態素であると解析されたか否かに依存せず、言い換えると、単語であるか否かに依存せず、キーワードとして抽出しても良い。
【００３８】
なお、以上説明した条件と逆の条件を用いても良い。例えば、形態素と予想されるが辞書２４に記憶されていないこと、固有名詞でないこと、本文に現れる回数が少ないことである。また、使用者の嗜好と意味属性との関係が所定の範囲であることであることとしても良い。即ち、その関係が近過ぎるキーワードのスコアを下げても良い。
【００３９】
また、スコアリングは、１通りと限るものではない。上述した条件の中で異なる一部の条件を用いても良い。また、条件に重みを付け、スコアは、満たす条件毎にその重みの和であるとしても良い。複数のスコアリングがされた場合、複数組のキーワードを、それぞれの組に、如何なる条件によってスコアが付されたかを添えてキーワード記憶部２６に記憶させる。
【００４０】
検索クエリ生成部２７は、関連ページ検索管理部２１の指示に従って動作を開始し、関連ページ検索管理部２１からウェブページ検索に係るカテゴリと、キーワードとを受信して、移動通信網送受信部１３を介してそのキーワードに係るウェブページをインターネットに接続された検索サイトに検索させる。
【００４１】
なお、キーワードが複数個受信された場合、それぞれのキーワード毎に別の検索をさせるが、複数個のキーワードをまとめて、まとめられたキーワード毎に検索させても良い。キーワードをまとめる場合、検索回数を、受信されたキーワードの個数未満、最低では１回とすることができ、検索時間の短縮が可能となる。また、検索サイトとは、キーワードを与えられることによってウェブページを検索するウェブサイトであって、検索されたウェブページがその検索サイトの装置内に記憶されているページに限る装置であっても良く、また、そのページに限らない装置であっても良い。
【００４２】
この検索の際、検索サイトは、以下のいずれか、又は、複数の組合せによって決定される。なお、まとめられたキーワード毎に検索させる場合、まとめられたキーワード毎に以下の基準を適用する。それらのキーワードのそれぞれによれば異なる決定がされる場合、より多くの個々のキーワードによる決定を、まとめられたキーワードに対する決定とする。
【００４３】
第１に、上記カテゴリ毎に関連付けられた検索サイトを用いる。この関連付けは、検索クエリ生成部２７内に記憶される。第２に、キーワードに意味属性が付された場合、その意味属性毎に関連付けられた検索サイトを用いる。この関連付けは、検索クエリ生成部２７内に記憶される。第３に、装置の使用者の嗜好に関連付けられた検索サイトを用いる。この関連付けは、検索クエリ生成部２７内に記憶される。第４に、過去に検索サイトによって検索されたウェブページのアクセスを装置の使用者が指示した回数を、検索サイト毎に関連ページ検索部２０内に記憶し、その回数が多い検索サイトを選択する。
【００４４】
なお、検索サイトを選択、決定することに代えて、又は、加えて、検索クエリ生成部２７は、検索サイトに指示するオプションを選択、決定しても良い。このオプションは、例えば、検索対象とするウェブサイトである。
【００４５】
検索結果解析部２８は、検索クエリ生成部２７の指示によって行われた検索の検索結果を受信する。この検索結果は、ウェブページを示し、タイトル、スニペット、及び、ＵＲＬからなり、１回の検索に対して１つ、又は、複数の検索結果が得られ、また、検索結果が得られないこともある。検索結果解析部２８は、１回の検索に対して得られた検索結果毎に解析し、その検索結果の中から、装置の使用者にとって有用である少なくとも１つを選択する。
【００４６】
この選択基準は、以下のいずれか１つ、又は、組合せである。第１に、検索サイトが検索結果に順位を付して送信した場合、第１順位等、高い順位の検索結果を選択する。検索サイトによる順位付けは、根拠があると考えられるからである。
【００４７】
第２に、検索の際に指示されたキーワードが抽出された本文、即ち、本文領域抽出部２３によって抽出された本文との類似度による。類似度は、例えば、上記タイトル及びスニペットに含まれる形態素（又は、文字列。）と、上記本文に含まれる形態素（又は、文字列。）とで共通であるものの割合である。形態素は、キーワード抽出部２５の動作説明で述べたように辞書２４を参照して解析される。そして、類似度が所定の範囲である検索結果を選択する。即ち、類似度が最大類似度閾値より大きい検索結果と、最小類似度閾値より小さい検索結果とを選択しない。
【００４８】
なぜなら、類似度が最大類似度閾値より大きいことは、検索によって得られたウェブページの内容は、ブラウザ部１７が表示しているウェブページの内容と特に類似である、極端には全く同じ本文を含むので、有用ではないからである。類似度が最小類似度閾値より小さいことは、検索によって得られたウェブページの内容は、ブラウザ部１７が表示しているウェブページの内容とかけ離れている可能性があるので、有用ではないからである。
【００４９】
第３に、装置の使用者の嗜好により合致する検索結果を選択する。即ち、上記タイトル及びスニペットに含まれる形態素に関連付けて辞書２４に記憶された意味属性と、使用者の嗜好との関係が近い検索結果を選択する。
【００５０】
検索結果解析部２８は、選択された検索結果のスニペットの文字数が所定のスニペット文字数閾値を超えている場合、その閾値以内に短縮する。なお、タイトルの文字数が所定のタイトル文字数閾値を超えている場合や、ＵＲＬの文字数が所定のＵＲＬ文字数閾値を超えている場合、検索結果解析部２８は、それぞれを対応する閾値以内に短縮する。これらの短縮に際し、検索の際に指示されたキーワードがタイトル及びスニペットの少なくとも一方には少なくとも１回は現れるようにする。また、そのキーワードの前後の所定の文字数の文字をなるべく削除しない。選択された検索結果の内容が容易に理解されるようにするためである。
【００５１】
検索結果解析部２８は、このように、全ての検索の検索結果毎に少なくとも１つの検索結果を選択し、必要な場合、スニペット等を短縮した上で、選択された検索結果の全てを関連ページ検索管理部２１に送信する。又は、選択された検索結果が得られる毎に送信する。
【００５２】
以上説明したように、検索クエリ生成部２７は、キーワード抽出部２５によって抽出されたキーワード毎にウェブページ検索を行い、検索結果解析部２８は、その検索毎に少なくとも１つの検索結果を選択する。そこで、抽出されたキーワード毎に少なくとも１つの検索結果が得られ、抽出されたキーワードは、スニペット等が短縮された場合であっても、少なくとも１つの選択された検索結果のタイトル又はスニペットに含まれる。いずれのキーワードも埋没することがなく、検索結果に現れる。
【００５３】
ＵＩ入出力部２９は、関連ページ検索管理部２１の指示に従い、表示部１５に表示をさせる。この表示がソフトキーである場合、表示させる位置の範囲の座標を指定して、その座標へのタッチがあった場合、通知を受ける旨をタッチパッド１６に対して要求する。この要求に従って、タッチパッド１６からタッチがあった旨の通知が受信された場合、ＵＩ入出力部２９は、タッチされたソフトキーを識別する情報、例えば、座標を関連ページ検索管理部２１に通知する。
【００５４】
なお、関連ページ検索管理部２１から異なるソフトキーの表示の指示があった場合、ＵＩ入出力部２９は、新たなソフトキーが表示させる位置の範囲を指定して、タッチパッド１６に対して上記要求をする。また、関連ページ検索管理部２１からソフトキーの表示の消去の指示があった場合、タッチパッド１６に対して、上記要求を取り消す。
【００５５】
次に、図３及び図４に示すフローチャートを参照して、関連ページ検索管理部２１による、ブラウザ部１７がアクセスしているウェブページに関連するウェブページの検索を制御する動作を説明する。この説明にあたり、表示部１５に表示される画面の遷移を併せて説明する。
【００５６】
関連ページ検索管理部２１は、ブラウザ部１７が動作を開始したことを契機として動作を開始したブラウザ連携部２２によって起動されて動作を開始する（ステップＳ２１ａ）。図５及び図６は、関連ページ検索管理部２１の動作による表示部１５に表示される画面の遷移を示し、図５（ａ）は、関連ページ検索管理部２１が動作を開始した際の画面を示す。
【００５７】
この画面は、ＵＲＬ欄１５ａと、ブラウザ部表示欄１５ｂとからなる。この画面は、ブラウザ部１７が起動された直後の画面であり、ＵＲＬ欄１５ａには、ブラウザ部１７が動作開始の際にアクセスするウェブページのＵＲＬが表示され、ブラウザ部表示欄１５ｂには、何も表示されない。
【００５８】
なお、ＵＲＬ欄１５ａと、ブラウザ部表示欄１５ｂとは、ブラウザ部１７が動作中は、必ずブラウザ部１７によって表示される結果、関連ページ検索管理部２１が動作中には必ず表示される。なお、これらの他に、通知アイコン欄が制御部１１によって表示され、この欄には、基本コマンド用ソフトキー及びピクトが表示される。また、着呼キー、終話キーを含む所定のソフトキーが含まれたメニューバーが制御部１１によって表示され、そのバーには各部の要求に応じたソフトキーが追加表示される。更に、タイトルバーがブラウザ部１７によって表示されるが、これらの表示は、関連ページ検索管理部２１の動作に依存して変化することがないので、図示と説明とを省略する。
【００５９】
関連ページ検索管理部２１は、ブラウザ連携部２２からブラウザ部１７内でウェブページのダウンロード開始のイベントが発生したとの通知が受信されたか否かを判断し（ステップＳ２１ｂ）、受信されない場合、このステップの動作を続ける。一方、受信された場合、ＵＩ入出力部２９に指示して、図５（ｂ）に示すように、キーワード抽出中アイコン１５ｃをブラウザ部表示欄１５ｂの一部に含む、キーワード抽出中画面を表示させる（ステップＳ２１ｃ）。この表示によって、ダウンロード及びキーワード抽出が開始されたことが報知される。
【００６０】
このステップでは、ブラウザ部１７はウェブページのダウンロードを終了していない、又は、そのダウンロードを終了しても、キーワード抽出部２５はキーワード抽出を終了していないのであり、関連ページ検索管理部２１は、ブラウザ部１７がアクセスしているウェブページに関連するウェブページを検索することができない。そこで、キーワード抽出中アイコン１５ｃは、関連ページ検索管理部２１が動作中であることを示すものの、装置の使用者の入力操作に基づく処理ができるまでには処理時間が必要なことを示すべく、第１の表示形態で表示され、ソフトキーではない。ここで、第１の表示形態とは、地味な表示、例えば、灰色での表示であって、砂時計状の図形を含む。
【００６１】
関連ページ検索管理部２１は、ブラウザ連携部２２からブラウザ部１７内でウェブページのダウンロード終了のイベントが発生し、かつ、キーワード抽出部２５によるキーワード抽出が終了したとの通知が受信されたか否かを判断し（ステップＳ２１ｄ）、受信されない場合、このステップの動作を続ける。一方、１つ以上のキーワードが抽出された旨が受信された場合、図５（ｃ）に示すように、ＵＩ入出力部２９に指示して、キーワード抽出中アイコン１５ｃに代えて、機能稼働中アイコン１５ｄをブラウザ部表示欄１５ｂの一部に含む、キーワード抽出終了時画面を表示させる（ステップＳ２１ｅ）。この表示によって、ダウンロードとキーワード抽出とが終了し、機能稼働中アイコン１５ｄへのタッチによって、関連ページ検索管理部２１は、その機能の動作を行う状態にあることが報知される。
【００６２】
なお、既に説明した通り、本文領域抽出部２３及びキーワード抽出部２５は、ブラウザ部１７内でウェブページのダウンロード終了のイベントが発生したことを契機とし、ブラウザ連携部２２の指示に基づいて動作する。ダウンロード終了に伴って、キーワード抽出が可能となるためであり、関連ページ検索管理部２１の制御が不要であるからである。しかし、これに限るものではなく、ブラウザ連携部２２はダウンロード終了のイベントが発生したことを関連ページ検索管理部２１に通知し、関連ページ検索管理部２１が本文領域抽出部２３及びキーワード抽出部２５を動作させても良い。
【００６３】
図５（ｃ）に示す画面では、ブラウザ部表示欄１５ｂには、ブラウザ部１７によって、スクロールバーを含む、ウェブページの内容が表示されている。また、機能稼働中アイコン１５ｄは、タッチを促すべく、第１の表示形態とは異なる第２の表示形態で表示されたソフトキーである。ここで、第２の表示形態とは、第１の表示形態に比較すると目立ち、かつ、ブラウザ部１７による表示の閲覧の際に眼ざわりにならない表示、例えば、紫色や、青色での表示である。第１の表示形態と、第２の表示形態とは、装置の使用者によって明瞭に識別可能な表示形態である。
【００６４】
更に、機能稼働中アイコン１５ｄはソフトキーであることをＵＩ入出力部２９に通知したため、機能稼働中アイコン１５ｄへのタッチは、ＵＩ入出力部２９を介して関連ページ検索管理部２１に通知され、制御部１１を介してブラウザ部１７へ通知されることはない。逆に、機能稼働中アイコン１５ｄ以外のブラウザ部表示欄１５ｂへのタッチは、関連ページ検索管理部２１に通知されず、ブラウザ部１７へ通知されて、ブラウザ部表示欄１５ｂに表示されたウェブページの内容のスクロール等が行われる。
【００６５】
このステップＳ２１ｅまでの動作は、タッチパッド１６及びキー入力部１６ａからの入力操作なしで行われ、関連ページ検索部２０は、ブラウザ部１７の一部であるとの印象を装置の使用者に与える。そこで、使用者は、気軽にウェブページの検索を試みることができる。また、ここまでの動作は、移動通信網通信部１２を介した通信を伴わない。そこで、その通信による電力の消費はない。
【００６６】
関連ページ検索管理部２１は、機能稼働中アイコン１５ｄへのタッチがされたか否かをＵＩ入出力部２９からの通知によって判断し（ステップＳ２１ｆ）、タッチされない場合、このステップの動作を続ける。タッチされた場合、ＵＩ入出力部２９に指示して、図５（ｄ）に示すように、ソフトキーである複数のカテゴリを含む操作メニュー１５ｅを、機能稼働中アイコン１５ｄと行又は列をなしてブラウザ部表示欄１５ｂの一部に表示させる（ステップＳ２１ｇ）。この表示によって、操作メニュー１５ｅに一覧表示された中のいずれかのカテゴリへのタッチによって、関連ページ検索管理部２１は、そのカテゴリに応じたウェブページの検索をさせる旨が報知される。
【００６７】
ここで、ソフトキーである機能稼働中アイコン１５ｄの画像は変化しないように図示したが、動作ステップに応じて画像を変化させても良い。なぜなら、ステップＳ２１ｅの動作によって図５（ｃ）に示す表示がされた場合、機能稼働中アイコン１５ｄは、関連ページ検索管理部２１が検索サイトにウェブページを検索させる動作を開始することができることを示す。しかし、ステップＳ２１ｇを含む、ステップＳ２１ｅ以外の動作ステップでは、機能稼働中アイコン１５ｄへのタッチによって、関連ページ検索管理部２１の動作を前の段階に戻すことがあり、例えば、「×」、「戻る」等の表示が使用者の直感的な理解の助けになるからである。
【００６８】
図５（ｄ）に例示した操作メニュー１５ｅには、「辞書」、「動画」、「速報」、「話題」、及び、「評判」の５つのカテゴリが含まれている。それぞれにタッチされると、検索クエリ生成部２７によって、百科事典、映画及び動画、ニュース、ブログ、そして、口コミ等の掲示板のウェブページの検索に優れた検索サイトを用いた検索が行われる。
【００６９】
カテゴリには、何ら制限はなく、「辞書」、「地図」、「天気」のように、更に詳細な情報を得るためのもの、「動画」、「画像」、「ゲーム」のように、楽しむためのもの、「食べる」、「旅行」、「買う」のように、使用者の行動の参考情報を得るためのもの、「掲示板」等の情報のアップロードを行うためのもの、「レンタル」、「働く」、「バイト」等、事業者の検索を行うためのもの、「全て」、また、「カテゴリなし」等、制約をつけずに多くのウェブサイトを検索する検索サイトに、何ら制約をつけずに検索させるもの等がある。
【００７０】
なお、カテゴリの数が多い場合、操作メニュー１５ｅを複数の階層とし、第１の階層では、情報を得るため、楽しむため、行動の参考情報を得るため、等の目的を選択し、第２の階層では、選択された目的に属するカテゴリを選択するようにしても良い。
【００７１】
ここで、「地図」にタッチされると、地図のウェブページの検索に優れた検索サイトを用いた検索が行われる。「天気」にタッチされると、天気予報のウェブページの検索に優れた検索サイトを用いた検索が行われる。
【００７２】
更に、「食べる」にタッチされると、例えば、レストランのウェブページの検索に優れた検索サイトや、レシピのウェブページの検索に優れた検索サイトを用いた検索が行われる。また、「旅行」にタッチされると、例えば、地図のウェブページの検索に優れた検索サイトや、天気予報のウェブページの検索に優れた検索サイトを用いた検索が行われる。更に、「買う」にタッチされると、例えば、販売店のウェブページの検索に優れた検索サイトや、インターネットオークションサイトのウェブページの検索に優れた検索サイトを用いた検索が行われる。
【００７３】
ここで、検索サイトを選択して用いることに代えて、又は、加えて、検索サイトに指示するオプションを選択しても良いことは、既に述べた通りである。
【００７４】
また、操作メニュー１５ｅに含まれるカテゴリは、キーワード抽出部２５によって抽出されたキーワード（付された意味属性を含む。）や、装置の使用者の嗜好や、キーワードのスコアリングに用いられた条件、又は、その条件への重み付けに応じて選択されても良い。例えば、料理名が抽出された場合、「食べる」なるカテゴリが選択される。また、抽出されたキーワードによらず、嗜好が食べ歩きである場合、「食べる」なるカテゴリが選択される。
【００７５】
更に、固有名詞であることを条件に、又は、その条件に重み付けされた場合、「速報」、「話題」、及び、「評判」等のカテゴリの選択が好ましい。また、形態素と予想されるが辞書２４に記憶されていないことを条件に、又は、その条件に重み付けされた場合、「全て」等のカテゴリの選択が好ましい。抽出されたキーワードは何を意味しているか不明なので、何ら制約をつけない検索が好ましいからである。
【００７６】
関連ページ検索管理部２１は、タッチパッド１６へのタッチがされたか否かをＵＩ入出力部２９からの通知によって判断し（ステップＳ２１ｈ）、タッチされない場合、関連ページ検索管理部２１は、このステップの動作を続ける。一方、操作メニュー１５ｅ中のいずれかのカテゴリへのタッチがされた場合、ＵＩ入出力部２９に指示して、図６（ａ）に示すように、操作メニュー１５ｅに代えて、検索中表示１５ｆをブラウザ部表示欄１５ｂの一部に表示させると共に、検索クエリ生成部２７と、検索結果解析部２８とを動作させる（ステップＳ２１ｉ）。この検索中表示１５ｆの表示はソフトキーではなく、この表示によって、ウェブページの検索中であることが表示部１５に表示される。なお、検索中表示１５ｆには、タッチされたカテゴリの表示が含まれるように図示したが、含まれなくとも良い。
【００７７】
この検索中表示１５ｆが表示されている際に機能稼働中アイコン１５ｄへのタッチがされると、関連ページ検索管理部２１は、検索クエリ生成部２７及び／又は検索結果解析部２８の動作を終了させることによって検索サイトにウェブページを検索させる動作を中断し、ＵＩ入出力部２９に指示して検索中表示１５ｆを消去させ、ステップＳ２１ｅに移り、表示部１５には、図５（ｃ）に示す表示がされる（図示せず）。又は、ステップＳ２１ｇに移り、表示部１５には、図５（ｄ）に示す表示がされる（図示せず）。このタッチによって、装置の使用者は、検索サイトにウェブページを検索させる動作の中断又はやり直しを指示することができる。
【００７８】
また、検索クエリ生成部２７を動作させるに際し、関連ページ検索管理部２１は、ステップＳ２１ｄで抽出が終了されたと判断されたキーワードと、ステップＳ２１ｆでタッチによって選択されたと判断されたカテゴリとを検索クエリ生成部２７へ送信する。なお、キーワードは、スコアを付されてキーワード記憶部２６に記憶されており、スコアが上位の所定個のキーワードを選択して送信する。
【００７９】
なお、キーワードに意味属性が付されている場合、関連ページ検索管理部２１は、スコアが上位であることに加えて、又は、代えて、選択されたカテゴリに依存して、そのカテゴリに近いと判断される意味属性が付されたキーワードを選択しても良い。また、複数のスコアリングが行われた結果、複数組のキーワードが、如何なる条件を用いて、又は、条件に付された重みを添えて記憶されている場合、関連ページ検索管理部２１は、選択されたカテゴリに依存して、キーワードの組を選択し、その組に含まれるキーワードの中から送信するキーワードを選択する。
【００８０】
この選択されたカテゴリと、意味属性とを参照したキーワードの選択の一例は、カテゴリ「買う」が選択された場合、ブランド品名であるキーワードを選択することである。カテゴリ「食べる」が選択された場合、料理名であるキーワードを選択することである。カテゴリ「地図」が選択された場合、地名であるキーワードを選択することである。
【００８１】
また、選択されたカテゴリを参照したキーワードの組の選択の一例は、カテゴリ「買う」が選択された場合、固有名詞であることを用いて、又は、重みを付けて抽出されたキーワードの組を選択することである。カテゴリ「地図」が選択された場合、固有名詞であること、特に、地名であることを用いて、又は、重み付けて抽出されたキーワードの組を選択することである。
【００８２】
図４を参照した関連ページ検索管理部２１によるウェブページの検索を制御する動作の説明に戻る。関連ページ検索管理部２１は、検索結果解析部２８から送信された検索結果が受信されたか否かを判断し（ステップＳ２１ｊ）。受信されない場合、このステップの動作を続ける。１件以上の検索結果が受信された場合、ＵＩ入出力部２９に指示して、機能稼働中アイコン１５ｄ及び検索中表示１５ｆを消去させ、図６（ｂ）に示すように、ソフトキーである戻り指示表示１５ｇと、ソフトキーである検索結果表示１５ｈとをブラウザ部表示欄１５ｂに表示させる（ステップＳ２１ｋ）。表示される検索結果表示１５ｈの数は、受信された検索結果の数である。なお、検索結果表示１５ｈは、検索結果に含まれるタイトル、スニペット、及び、ＵＲＬの表示を含む。
【００８３】
なお、例えば、検索されたウェブページが画像を含む場合、検索結果は、サムネイル画像、又は、サムネイル画像が記憶されたＵＲＬを含む場合がある。この場合、関連ページ検索管理部２１は、検索結果解析部２８を介して受信されたサムネイル画像、又は、検索結果解析部２８を介して受信されたＵＲＬへアクセスして受信されたサムネイル画像を検索結果表示１５ｈに含ませて、図７に示すように、表示部１５に表示させる。この図７の表示は、図６（ｂ）の表示にサムネイル画像を加えたものである。
【００８４】
なお、サムネイル画像は、ブラウザ部表示欄１５ｂに重ねて表示される。そのため、サムネイル画像がブラウザ部表示欄１５ｂの表示に起因して乱れて表示されることのない処理が必要となることがある。例えば、サムネイル画像に含まれる特定の色、例えば、Ｒ，Ｇ、及び、Ｂの３原色によって０、０、０と表された色が制御部１１の制御によってブラウザ部表示欄１５ｂの表示の透過と扱われる場合、関連ページ検索管理部２１は、その色をＲ，Ｇ、及び、Ｂの３原色が４、４、４等と表される、類似の色に置き換える。
【００８５】
関連ページ検索管理部２１は、タッチパッド１６へのタッチがされたか否かをＵＩ入出力部２９からの通知によって判断し（ステップＳ２１ｍ）、タッチされない場合、このステップの動作を続ける。一方、いずれかの検索結果表示１５ｈにタッチされた場合、タッチされた検索結果表示１５ｈに含まれるＵＲＬをブラウザ連携部２２を介してブラウザ部１７へ通知してアクセスさせる（ステップＳ２１ｎ）。
【００８６】
そして、関連ページ検索管理部２１は、ＵＩ入出力部２９に指示して、戻り指示表示１５ｇ及び検索結果表示１５ｈを消去させ（ステップＳ２１ｏ）、ステップＳ２１ｂの動作に移る。ここで、ブラウザ部１７は、新たにウェブページへのアクセスが指示されたことによって、ブラウザ部表示欄１５ｂに表示されていたウェブページの内容を消去する。
【００８７】
そこで、表示部１５には、ＵＲＬ欄１５ａに表示される内容は異なるものの、図５（ａ）に示す表示がされ、この表示は、ブラウザ部１７の動作開始に伴って、ステップＳ２１ａの関連ページ検索管理部２１が動作を開始した際の表示と同じである。即ち、以後、ステップＳ２１ｂ以降の動作に伴って、既に図５及び図６を参照して説明した表示の遷移が発生する。
【００８８】
例えば、ステップＳ２１ｎで通知されたＵＲＬで識別されるウェブページのダウンロードが開始されたとステップＳ２１ｂで判断された場合、図５（ｂ）に示すキーワード抽出中アイコン１５ｃの表示がされる。そのダウンロードが終了し、そのウェブページからキーワードの抽出が終了したとステップＳ２１ｄで判断されると、そのウェブページの内容、及び、機能稼働中アイコン１５ｄが、図６（ｃ）に示すように表示される。なお、この表示は、ＵＲＬ欄１５ａに表示される内容及びブラウザ部表示欄１５ｂに表示される内容は異なるものの、図５（ｃ）に示す表示と同じであり、関連ページ検索管理部２１が同じ動作ステップにあることと対応している。
【００８９】
ステップＳ２１ｍで、戻り指示表示１５ｇにタッチされた場合、関連ページ検索管理部２１は、ＵＩ入出力部２９に指示して、戻り指示表示１５ｇ及び検索結果表示１５ｈを消去させ（ステップＳ２１ｐ）、ステップＳ２１ｅに移る。この際、ステップＳ２１ｐの動作の結果、表示部１５には、図５（ｃ）に示す表示がされる。又は、ステップＳ２１ｇに移り、表示部１５には、図５（ｄ）に示す表示がされる（図示せず）。
【００９０】
ステップＳ２１ｊで、検索結果はない、即ち、０件である旨が受信された場合、関連ページ検索管理部２１は、ＵＩ入出力部２９に指示して、検索中表示１５ｆを消去させ、図６（ｄ）に示すように、所定の検索結果なし報知時間に渡って検索結果なし表示１５ｉを表示させて、検索結果がないことを報知して（ステップＳ２１ｑ）、ステップＳ２１ｅに移る。この際、表示部１５には、図５（ｃ）に示す表示がされる。又は、ステップＳ２１ｇに移り、表示部１５には、図５（ｄ）に示す表示がされる（図示せず）。なお、検索結果なし表示１５ｉは、ソフトキーではない。
【００９１】
この検索結果なし表示１５ｉが表示されている際に機能稼働中アイコン１５ｄへのタッチがされると、関連ページ検索管理部２１は、ＵＩ入出力部２９に指示して検索結果なし表示１５ｉを消去させ、ステップＳ２１ｅに移り、表示部１５には、図５（ｃ）に示す表示がされる（図示せず）。又は、ステップＳ２１ｇに移り、表示部１５には、図５（ｄ）に示す表示がされる（図示せず）。このタッチによって、装置の使用者は、検索サイトにウェブページを検索させる動作のやり直しを指示することができる。
【００９２】
なお、関連ページ検索管理部２１は、検索結果なし表示１５ｉを表示させた後、所定の検索結果なし報知時間の経過によってそれを消去させることをせずにステップＳ２１ｑに止まり、機能稼働中アイコン１５ｄへのタッチによって、他のステップへ移るとしても良い。
【００９３】
ステップＳ２１ｈで機能稼働中アイコン１５ｄへのタッチがされた場合、関連ページ検索管理部２１は、ＵＩ入出力部２９に指示して、操作メニュー１５ｅを消去させ（ステップＳ２１ｒ）、ステップＳ２１ｅに移る。この際、ステップＳ２１ｒの動作の結果、表示部１５には、図５（ｃ）に示す表示がされる。
【００９４】
このように、関連ページ検索部２０は、キーワード抽出部２５によるキーワード抽出のみならず、関連ページ検索管理部２１によるステップＳ２１ｇで表示されるカテゴリ選択、ステップＳ２１ｉで検索クエリ生成部２７へ送信するキーワードの選択、検索クエリ生成部２７による検索サイトの選択、更に、検索結果解析部２８による検索結果の選択と、多くの動作で、例えば、装置の使用者の嗜好に従った動作を行わせることができる。この結果、ブラウザ部１７がアクセスしているウェブページは同じであったとしても、関連ページ検索部２０によって検索されるウェブページは同じとは限らず、装置の使用者にとって有用なウェブページを検索させることができる。
【００９５】
ステップＳ２１ｄでキーワードが抽出されなかった旨が受信された場合、関連ページ検索管理部２１は、図８に示すように、ＵＩ入出力部２９に指示して、キーワード抽出中アイコン１５ｃに代えて、キーワードなしアイコン１５ｋをブラウザ部表示欄１５ｂの一部に表示させ（ステップＳ２１ｓ）、ステップＳ２１ｂのダウンロード開始のイベントが発生したとの通知が受信されたか否かを判断する動作に移る。
【００９６】
キーワードなしアイコン１５ｋが表示されている際、ブラウザ部１７はウェブページのダウンロードを終了しているので、図８には、ブラウザ部表示欄１５ｂに、図５（ｃ）に示すウェブページの内容が表示されている例を示す。しかし、その際、キーワードの抽出ができていないのであり、関連ページ検索管理部２１は、ブラウザ部１７がアクセスしているウェブページに関連するウェブページを検索することができない。
【００９７】
そこで、キーワードなしアイコン１５ｋは、関連ページ検索管理部２１が動作中であることを示すものの、装置の使用者の入力操作に基づく処理ができないことを示すべく、第３の表示形態で表示され、ソフトキーではない。ここで、第３の表示形態とは、地味な表示、例えば、灰色での表示であり、機能稼働中アイコン１５ｄの表示形態である第２の表示形態と、第３の表示形態とは、装置の使用者によって明瞭に識別可能な表示形態である。
【００９８】
以上の説明は、関連ページ検索管理部２１が装置の使用者の入力操作なしに、及び、その操作に従って動作している場合の制御動作であったが、この他に、ブラウザ連携部２２と、関連ページ検索管理部２１とは、関連ページ検索管理部２１が上記説明したいずれの動作ステップにあるかに依らず、次のような制御動作を行う。
【００９９】
ブラウザ部１７に対し、動作終了の制御信号が送信された場合、ブラウザ連携部２２は、その信号が受信された旨を関連ページ検索管理部２１へ送信し、所定の非表示待ち時間の経過後、その制御信号をブラウザ部１７へ送信する。これらの送信の結果、関連ページ検索管理部２１は、ＵＩ入出力部２９に指示して関連ページ検索管理部２１に係る全ての表示を消去させ、ブラウザ連携部２２及び関連ページ検索管理部２１を含む、関連ページ検索部２０の全ての動作を終了させる。
【０１００】
この動作終了の際、制御部１１からブラウザ部１７へのメッセージは、ブラウザ連携部２２が受信することなく、直接ブラウザ部１７が受信する設定に戻させる。また、ブラウザ部１７は、ＵＲＬ欄１５ａの表示及びブラウザ部表示欄１５ｂの表示を消去させて動作を終了する。
【０１０１】
ここで、ブラウザ連携部２２は、上記信号を先ず関連ページ検索管理部２１へ送信し、所定の非表示待ち時間の経過後、ブラウザ部１７へ送信した理由は、以下の通りである。即ち、関連ページ検索部２０は、タッチパッド１６からの入力操作なしに動作を開始し、動作開始の後、ブラウザ部１７の一部であるかのように動作した。そこで、関連ページ検索部２０に係る表示がされたままブラウザ部１７に係る表示が消去されると、装置の使用者が違和感を覚える可能性があるからである。
【０１０２】
ブラウザ部１７に対し、表示部１５への非表示の制御信号が送信された場合、ブラウザ連携部２２は、その信号が受信された旨を関連ページ検索管理部２１へ送信し、所定の非表示待ち時間の経過後、その制御信号をブラウザ部１７へ送信する。この非表示の制御信号は、例えば、移動通信網送受信部１３を介して通話着信制御信号を受信した制御部１１が、所定の着信画像を表示部１５に表示させるために送信される。
【０１０３】
これらの送信の結果、関連ページ検索管理部２１は、ＵＩ入出力部２９に指示して関連ページ検索管理部２１に係る全ての表示を消去させ、ブラウザ部１７は、ＵＲＬ欄１５ａの表示及びブラウザ部表示欄１５ｂの表示を消去させる。なお、消去された表示がソフトキーである場合、その表示がされた部分へのタッチは入力操作とは扱われない。ここで、ブラウザ連携部２２は、上記信号を先ず関連ページ検索管理部２１へ送信し、所定の非表示待ち時間の経過後、ブラウザ部１７へ送信した理由は、上述した理由に準じる。
【０１０４】
ブラウザ部１７に対し、表示部１５への表示の制御信号が送信された場合、ブラウザ連携部２２は、その信号が受信された旨をブラウザ部１７へ送信し、所定の表示待ち時間の経過後、その制御信号を関連ページ検索管理部２１へ送信する。この表示の制御信号は、例えば、移動通信網送受信部１３を介した通話が終了し、制御部１１が、表示部１５に表示されていた所定の着信画像を消去する際に送信される。
【０１０５】
これらの送信の結果、ブラウザ部１７は、ＵＲＬ欄１５ａの表示及びブラウザ部表示欄１５ｂの表示を復旧させ、関連ページ検索管理部２１は、ＵＩ入出力部２９に指示して関連ページ検索管理部２１に係る全ての表示を復旧させる。ここで、ブラウザ連携部２２は、上記信号を先ずブラウザ部１７へ送信し、所定の表示待ち時間の経過後、関連ページ検索管理部２１へ送信した理由は、上述した理由に準じ、以下の通りである。即ち、関連ページ検索部２０は、ブラウザ部１７の一部であるかのように動作した。そこで、ブラウザ部１７に係る表示がされる前に関連ページ検索部２０に係る表示がされると、装置の使用者が違和感を覚える可能性があるからである。
【０１０６】
ブラウザ部１７に対し、表示部１５への表示のスクロールに関する制御信号が送信された場合、ブラウザ連携部２２は、その制御信号をブラウザ部１７へ送信すると共に、関連ページ検索管理部２１へ送信する。なお、スクロールを示す制御信号とは、スクロールバーを含む、ブラウザ部表示欄１５ｂへのタッチ、又は、タッチした位置の移動（タッチパッド１６に指等を触れたまま移動することに対応する。）に起因して送信される。
【０１０７】
なお、ブラウザ部表示欄１５ｂであっても、関連ページ検索部２０に係る表示がされた部分へのタッチは、ＵＩ入出力部２９へ通知され、制御部１１を介してブラウザ部１７へ通知されないことは前述の通りである。
【０１０８】
このスクロールに関する制御信号を受信した関連ページ検索管理部２１は、ブラウザ部１７に対してスクロールを開始する制御信号を送信してからスクロールを終了する制御信号を送信するまでの間、ＵＩ入出力部２９に指示して、関連ページ検索管理部２１に係る全ての表示の透明度を上げさせる。透明にさせても良い。この結果、装置の使用者は、ブラウザ部表示欄１５ｂの表示の全てを視認することができ、適切なスクロールが容易である。
【０１０９】
ブラウザ部１７に対し、表示部１５へソフトキーボードの表示を示す制御信号が送信され、かつ、その表示位置が関連ページ検索部２０に係る表示位置と重なる場合、ブラウザ連携部２２は、その制御信号をブラウザ部１７へ送信すると共に、関連ページ検索管理部２１へ送信する。この制御信号を受信した関連ページ検索管理部２１は、ＵＩ入出力部２９に指示して関連ページ検索管理部２１に係る全ての表示の、少なくとも、ソフトキーボードの表示と重なる部分を消去させることによって、その表示へのタッチを関連ページ検索管理部２１に通知させない。なお、このソフトキーボードは、例えば、ＵＲＬの入力に用いられる。
【０１１０】
ブラウザ部１７に対し、表示部１５に表示されたソフトキーボードの消去を示す制御信号が送信された場合、ブラウザ連携部２２は、その制御信号をブラウザ部１７へ送信すると共に、関連ページ検索管理部２１へ送信する。この制御信号を受信した関連ページ検索管理部２１は、ＵＩ入出力部２９に指示して関連ページ検索管理部２１に係る全ての表示を復旧させる。なお、ソフトキーボードの表示及び消去がブラウザ部１７への制御信号によらず、ブラウザ部１７内のイベントに従って行われる場合も上記に準じる。
【０１１１】
以上の説明で、関連ページ検索部２０は、タッチパッド１６からの入力操作なしに動作を開始し、何ら入力操作がない場合でも、キーワード抽出中アイコン１５ｃか、機能稼働中アイコン１５ｄか、キーワードなしアイコン１５ｋをブラウザ部表示欄１５ｂの一部に表示させるとした。これらの表示は、ブラウザ部表示欄１５ｂの視認の妨げになる可能性がある。そこで、これらの表示は、表示部１５の辺に接した小さいアイコンの表示とし、そのアイコンの表示位置へのタッチによって現れるとしても良い。更には、これらの表示は、所定のタッチによって、上記小さいアイコンの表示に変更されるとしても良い。
【０１１２】
更には、表示部１５の辺に接した小さい目印の表示位置へタッチし、そのタッチした位置が表示部１５の内側へ移動することによって、キーワード抽出中アイコン１５ｃか、機能稼働中アイコン１５ｄか、キーワードなしアイコン１５ｋが現れるとしても良い。この移動は、指等を表示部１５の表示画面外に触れ、その小さい目印の表示位置を経て、表示部１５の内側へ移動させることを含む。更には、これらのアイコンの表示は、その表示位置へタッチし、そのタッチした位置が表示部１５の表示画面の辺（表示画面外を含む。）へ移動されることによって、上記小さい目印の表示に変更されるとしても良い。
【０１１３】
又は、キーワード抽出中アイコン１５ｃ、機能稼働中アイコン１５ｄ、及びキーワードなしアイコン１５ｋを、少なくとも関連ページ検索部２０に対するタッチパッド１６からの入力操作が行われるまでは、ブラウザ部１７による表示が行われない部分、例えば、制御部１１によって表示が直接に制御される部分に表示されるとしても良い。
【０１１４】
また、以上の説明で、関連ページ検索部２０は、タッチパッド１６からの入力操作なしに動作を開始し、動作開始の後、ブラウザ部１７の一部であるかのように動作したが、これに限るものではない。ブラウザ部１７が動作中は、ブラウザ連携部２２は動作するものの、タッチパッド１６の所定の関連ページ検索開始操作に従って関連ページ検索管理部２１は動作を開始し、及び／又は、タッチパッド１６の所定の関連ページ検索終了操作に従って、関連ページ検索管理部２１は、ステップＳ２１ｅの状態に移り、図５（ｃ）に示すように、機能稼働中アイコン１５ｄをブラウザ部表示欄１５ｂの一部に表示させ、若しくは、動作を終了しても良い。これらの動作によって、装置の使用者は、関連ページ検索管理部２１の動作を最初からやり直させることが容易となる。これらの操作は、ＵＩ入出力部２９によって受信される。
【０１１５】
以上の説明は、表示部１５と、タッチパッド１６とはタッチパネルを構成するとして行ったが、これに限るものではない。装置はタッチパッド１６を有さず、タッチパッド１６からの入力操作に代えて、又は、加えてキー入力部１６ａからの入力操作に従って、装置の各部が動作しても良い。
【０１１６】
なお、この場合、キー入力部１６ａは、各機能での確定や選択を指示するために用いられる決定キーと、決定キーに隣接して決定キーを取り囲んで設置され、決定キーの上、下、左、及び、右方向に位置する４つのキー、即ち、上向きキー、下向きキー、左向きキー、及び、右向きキーからなり、表示部１５上に指定される位置の移動指示等に用いられる十字選択キーと、装置の電源の投入及び切断等の指示入力に用いられる電源操作キー等を含む機能キーと、電話番号を含む数字や、文字の入力等に用いられるダイヤルキーとを有する。
【０１１７】
（第２の実施形態）
本発明の第２の実施形態に係る移動通信装置は、以上説明した第１の実施形態に係る移動通信装置と比較して、図３及び図４に示すフローチャートを参照して説明した関連ページ検索管理部２１の制御動作の一部の動作、即ち、ステップＳ２１ｇの動作、ステップＳ２１ｈの動作、及びステップＳ２１ｉの動作とが相違している。その結果、図５（ｄ）に示す、機能稼働中アイコンタッチ後画面が相違する。そこで、以下、その相違点を説明する。なお、同じ部分には同じ符号を付して説明を省略し、又は、簡単な説明に止める。
【０１１８】
ステップＳ２１ｅの動作で図５（ｃ）に示すキーワード抽出終了時画面が表示され、ステップＳ２１ｆの動作でその画面中の機能稼働中アイコン１５ｄへのタッチがされたと判断された場合、関連ページ検索管理部２１は、ステップＳ２１ｇの動作で、ＵＩ入出力部２９に指示して、図５（ｄ）に示す機能稼働中アイコンタッチ後画面に代えて、キーワード記憶部２６に記憶されており、スコアが上位の所定個のキーワードを一覧表示する機能稼働中アイコンタッチ後画面を表示させる。
【０１１９】
図９に示す、第２の実施形態に係る機能稼働中アイコンタッチ後画面の第１の例は、第１の実施形態に係る機能稼働中アイコンタッチ後画面と比較して、操作メニュー１５ｅを含まず、１つ又は複数のキーワードソフトキー１５ｍと、キーワード入力欄１５ｎと、関連ページ検索制御欄１５ｏとを含み、抽出されたキーワードを一覧表示し、それらのキーワードの中から装置の使用者による選択を行うための画面である。
【０１２０】
キーワードソフトキー１５ｍは、１つのキーワードが表示された四角形と、その四角形に含まれる、１つのカテゴリが表示された１つ又は複数の四角形からなり、それぞれの四角形がソフトキーである。図９の「ＡＡリーグ」が表示されたキーワードソフトキー１５ｍを例にとると、カテゴリである「速報」が表示された四角形の部分が１つのソフトキーであり、カテゴリである「辞書」が表示された四角形の部分が１つのソフトキーである。更に、このキーワードソフトキー１５ｍであって、上記２つの部分以外の中で、少なくともキーワードが表示された部分が１つのソフトキーである。即ち、このキーワードソフトキー１５ｍは、３つのソフトキーからなる。
【０１２１】
カテゴリであるソフトキーがタッチされた場合、関連ページ検索管理部２１は、そのカテゴリと、そのカテゴリを含むキーワードソフトキー１５ｍに表示されたキーワードとが装置の使用者によって選択されたとして、入力する。キーワードが表示された部分がタッチされた場合、そのキーワードと、「全て」なるカテゴリが選択されたとして入力する。そして、これらのいずれかのタッチがあった場合、ステップＳ２１ｈの動作で、カテゴリにタッチされたと判断し、ステップＳ２１ｉの動作に移る。ここで、ステップＳ２１ｉの動作に移るために必要なタッチの数は、第１の実施形態と同じ１回であり、装置の使用者にとって使い難くなることはない。いずれのタッチもない場合、ステップＳ２１ｈの動作で、タッチされずと判断し、このステップの動作を続ける。
【０１２２】
なお、表示されるカテゴリは、全てのキーワードソフトキー１５ｍに対して同一でも良いし、キーワードソフトキー１５ｍに表示されるキーワードに依存して異なるものが選択され、表示されることがあるとしても良い。このカテゴリの選択は、操作メニュー１５ｅに含まれるカテゴリがキーワード抽出部２５によって抽出されたキーワードや、装置の使用者の嗜好や、キーワードのスコアリングに用いられた条件、又は、その条件への重み付けに応じて選択されるとして既に説明した通りである。
【０１２３】
キーワードソフトキー１５ｍは、図９に示す例では、３行に、そして、各行に２つずつ配列されるとしたが、この配列の大きさは、任意である。また、キーワードソフトキー１５ｍの配置は、それに表示されるキーワードに付されたスコアに依存して、以下のいずれかの方法による。第１に、スコアが上位である程、表示画面の上に配置され、更に、左に配置される。スコアの順に配置する、最も普通の配置である。
【０１２４】
第２に、スコアが上位である程、表示画面の右下に近く配置される。第３に、スコアが上位である程、表示画面の左下に近く配置される。これらは、装置の使用者が装置を右手（又は左手）で保持し、右手（又は左手）の親指でタッチする場合、使用者が上位のスコアのキーワードを選択し易くするためである。
【０１２５】
キーワードソフトキー１５ｍの大きさは、図９に示す例では、同一としたが、これに限るものではない。上位のスコアが付されたキーワードが表示されるキーワードソフトキー１５ｍは、下位のスコアが付されたキーワードが表示されるキーワードソフトキー１５ｍより大きく表示されても良い。装置の使用者にスコアの上下を報知するためであり、また、使用者が、上位のスコアが付されたキーワードを選択し易くするためである。
【０１２６】
キーワード入力欄１５ｎは、装置の使用者がキーワードを入力するために用いられる。即ち、キーワード入力欄１５ｎへのタッチによって、関連ページ検索管理部２１は、図１０に例示するように、ＱＷＥＲＴＹ方式のソフトキーボード１５ｐを新たに表示部１５に表示させる。ここで、ソフトキーボード１５ｐの表示位置は、キーワード入力欄１５ｎが隠れることがない限り任意である。また、キーワード入力欄１５ｎの表示位置の変更を伴うことを妨げない。
【０１２７】
更に、この入力の際、かな漢字変換過程の表示位置や、予測された入力文字列の一覧の表示位置は、キーワード入力欄１５ｎが隠れることがない限り任意である。また、キーワード入力欄１５ｎの表示位置の変更を伴うことを妨げない。特に、ソフトキーボード１５ｐや、かな漢字変換過程や、予測された入力文字列の一覧は、制御部１１によって事前に定められた位置に表示される場合、関連ページ検索管理部２１は、それらの位置を避けるべく、キーワード入力欄１５ｎの表示位置を変更する。
【０１２８】
なお、ソフトキーボード１５ｐの表示に伴い、メニューバーには、ソフトキーであるソフトキーボード消去キー（図示せず）が表示される。このソフトキーボード消去キーへのタッチによって、ソフトキーボード１５ｐは、消去される。また、ソフトキーボード１５ｐの表示によって表示位置が変更された表示は、変更前の位置に表示される。
【０１２９】
そして、関連ページ検索管理部２１は、ソフトキーボード１５ｐを介してキーワードを入力し、入力されたキーワードをキーワード入力欄１５ｎ内に表示させる。そして、入力前はソフトキーでなかった「検索」なる表示をソフトキーとその旨を「検索」なる表示の形態を変更して報知する。そのソフトキーへのタッチがされた場合、そのキーワードが入力され、更に、所定のカテゴリが入力されたとみなし、ステップＳ２１ｈの動作で、カテゴリにタッチされたと判断し、ステップＳ２１ｉの動作に移る。なお、図９では、キーワードが入力されておらず、「検索」なる表示がソフトキーでないことをハッチングにより示した。ここで、「検索」なる表示の形態変更は、検索が可能であるか否かの報知のためであり、この表示以外の表示の形態変更によっても良い。また、キーワード入力欄１５ｎ内のキーワードの表示の有無によって、報知されているとしても良い。
【０１３０】
「検索」なる表示のソフトキーへのタッチがない場合、関連ページ検索管理部２１は、ステップＳ２１ｈの動作で、タッチされずと判断し、このステップの動作を続ける。ここで、入力されたとみなすカテゴリは、入力されたキーワードに依存しない、所定のカテゴリ、例えば、「全て」としても良く、入力されたキーワードに依存するものを選択しても良い。このカテゴリの選択は、操作メニュー１５ｅに含まれるカテゴリが装置の使用者の嗜好によって選択されるとして既に説明した通りである。
【０１３１】
なお、キーワードの入力は、上記のようにキーワードソフトキー１５ｍに表示されたキーワードと無関係に行われると限るものではない。例えば、関連ページ検索管理部２１は、タッチされたキーワードソフトキー１５ｍに表示されたキーワードをキーワード入力欄１５ｎに表示させる。又は、ドラッグとドロップ処理によって、そのキーワードをキーワード入力欄１５ｎに表示させる。即ち、キーワードソフトキー１５ｍにタッチされた指等がタッチパッド１６との接触を保ったままキーワード入力欄１５ｎに移動して、接触が離れた場合、そのキーに表示されたキーワードをキーワード入力欄１５ｎに表示させる。そして、ＱＷＥＲＴＹ方式のソフトキーボード１５ｐを新たに表示部１５に表示させ、装置の使用者に表示されたキーワードを編集させても良い。
【０１３２】
関連ページ検索制御欄１５ｏは、キーワードソフトキー１５ｍの数が多く、表示部１５の表示画面に同時には表示されない場合の対処のための欄であり、表示されているキーワードソフトキー１５ｍの画面は、全体で何画面あり、その中の何番目の画面が表示されているかを示す。図９は、全体で２画面あり、その中の１番目の画面が表示されている例を示す。そこで、次の画面を表示させるためのソフトキーである右向き矢印が表示されている。前の画面を表示させるための左向き矢印は、この例では前の画面がないため、ソフトキーではなく、右向き矢印と異なる色で図示した。
【０１３３】
図１１は、第２の実施形態に係る機能稼働中アイコンタッチ後画面の第２の例を示す。この機能稼働中アイコンタッチ後画面は、図９に示す第１の例と比較して、キーワードソフトキー１５ｍに代えて、キーワードソフトキー１５ｍ−２が表示されている。キーワードソフトキー１５ｍ−２は、キーワードソフトキー１５ｍと比較して、以下のような相違があるが、いずれも単なる表示の相違であるので、表示について説明する。
【０１３４】
まず、キーワードソフトキー１５ｍ−２は、四角形ではなく、キーワードが表示された四角形と、その四角形に接し、カテゴリが表示された楕円形とからなる。これらの四角形及び楕円形はソフトキーである。次に、キーワードソフトキー１５ｍ−２は、千鳥配列である。更に、この例では、キーワードが「ＣＣ市」であるキーワードソフトキー１５ｍ−２を大きく表示し、キーワードが「サッカー」であるキーワードソフトキー１５ｍ−２を小さく表示することによって、キーワードに付されたスコアの上下を示している。
【０１３５】
図１２は、第２の実施形態に係る機能稼働中アイコンタッチ後画面の第３の例を示す。この機能稼働中アイコンタッチ後画面は、図１１に示す第２の例と比較して、キーワードソフトキー１５ｍ−２に代えて、キーワードソフトキー１５ｍ−３が表示されている。キーワードソフトキー１５ｍ−３は、キーワードソフトキー１５ｍ−２と比較して、以下のような相違があるが、単なる表示の相違であるので、表示について説明する。
【０１３６】
キーワードソフトキー１５ｍ−３には、カテゴリが表示されていない。そして、あるキーワードソフトキー１５ｍ−３（キーワードが表示されている。）にタッチされると、関連ページ検索管理部２１は、そのキーワードソフトキー１５ｍ−３に対応するカテゴリが表示されたソフトキーを設ける。図には、「ＣＣ市」なるキーワードにタッチされた際の表示を図示した。そして、指等の移動がないまま、キーワードへのタッチが終了した、即ち、指等の接触がなくなった場合、そのキーワードと、所定のカテゴリ、例えば、「全て」を入力する。一方、指等が表示されたカテゴリへ移動してタッチが終了した場合、そのキーワードと、タッチが終了した際にタッチされていたカテゴリとを入力する。
【０１３７】
この第３の例において、タッチを契機として表示させるカテゴリは、タッチされたキーワードソフトキー１５ｍ−３以外のキーワードソフトキー１５ｍ−３の表示を隠しても差し支えない。そのため、この第３の例によれば、多くのキーワードソフトキー１５ｍ−３を、同時に表示部１５の表示画面に表示させることができる。
【０１３８】
図１３は、第２の実施形態に係る機能稼働中アイコンタッチ後画面の第４の例を示す。この機能稼働中アイコンタッチ後画面は、図９に示す第１の例と比較して、キーワードソフトキー１５ｍと、関連ページ検索制御欄１５ｏとに代えて、キーワードソフトキー１５ｍ−４と、カテゴリソフトキー１５ｑとが表示されている。キーワードソフトキー１５ｍ−４は、キーワードソフトキー１５ｍと異なり、それぞれにカテゴリが含まれていない。カテゴリは、カテゴリソフトキー１５ｑを介して入力される。
【０１３９】
即ち、装置の使用者は、まず、カテゴリソフトキー１５ｑに一覧表示されたカテゴリの中から１つを選んでタッチし（図１３では、「辞書」が選ばれていることをハッチングにより示す。）、次に、キーワードソフトキー１５ｍ−４に一覧表示されたキーワードの中から１つを選んでタッチすることが想定される。ここで、関連ページ検索管理部２１は、選ばれたカテゴリを関連ページ検索部２０内に記憶し、一旦動作を終了した後で動作を開始した場合であっても、記憶されたカテゴリがタッチによって選ばれた状態とすることができる。
【０１４０】
すると、その選ばれたカテゴリに依存せず、上位のスコアが付されたキーワードからなるキーワードソフトキー１５ｍ−４を表示させることに限らず、関連ページ検索管理部２１は、その選ばれたカテゴリに依存するキーワードからなるキーワードソフトキー１５ｍ−４を表示させることができる。これにより、装置の使用者は、第１の例の機能稼働中アイコンタッチ後画面を介する場合と同じく、１回のタッチで、所望のキーワードと、通常用いるカテゴリとを入力することができる。
【０１４１】
このように、キーワードソフトキー１５ｍ−４へのタッチによって（カテゴリソフトキー１５ｑへのタッチがされる場合も含む。）、キーワードと、カテゴリとが入力された場合、関連ページ検索管理部２１は、ステップＳ２１ｈの動作で、カテゴリにタッチされたと判断し、ステップＳ２１ｉの動作に移る。このタッチがない場合、ステップＳ２１ｈの動作で、タッチされずと判断し、このステップの動作を続ける。
【０１４２】
カテゴリに依存するキーワードの選択は、図４に示すフローチャートのステップＳ２１ｉに含まれる、関連ページ検索管理部２１が検索クエリ生成部２７へ送信するキーワードをカテゴリに依存して選択する動作で説明した通りである。以上説明した、機能稼働中アイコンタッチ後画面の第１〜第４の例は、適宜組み合わせても良い。
【０１４３】
第２の実施形態のステップＳ２１ｉの動作では、関連ページ検索管理部２１は、検索クエリ生成部２７を動作させる際、既に入力されたキーワードと、カテゴリを用いれば良い。また、検索クエリ生成部２７は、１つのキーワードを与えられるので、ウェブページの検索は１回行う。このため、検索時間の短縮の効果が得られる。
【０１４４】
また、ステップＳ２１ｉの動作による検索中画面の表示は、第１の実施形態においては、図６（ａ）に例示したように、タッチされたカテゴリの表示が含まれても良いとした。第２の実施形態に係る関連ページ検索管理部２１は、入力されたカテゴリと、キーワードとを表示しても良い。なぜなら、そのキーワードは１つだから、表示することが容易である。勿論、第１の実施形態においても、一部のキーワードの表示に止める、キーワード表示をスクロールする等によって、キーワードの表示は可能である。
【０１４５】
このカテゴリと、キーワードとの表示を行うことは、ステップＳ２１ｋの検索結果画面の表示の際にも同じである。図１４は、図６（ｂ）の検索結果画面に代わる画面であり、最上の位置に表示された検索結果表示１５ｈに代えて、検索に用いられたカテゴリと、キーワードとを含む検索条件表示１５ｊが表示されている。
【０１４６】
（第３の実施形態）
第３の実施形態に係る移動通信装置は、第１の実施形態に係る移動通信装置と比較して、制御部１１によるブラウザ部１７と、関連ページ検索管理部２１との制御に相違がある。具体的には、ブラウザ部１７のタスク及び関連ページ検索管理部２１のタスクの状態の遷移の制御と、それらのタスクへの表示リソース（表示部１５への表示の権利。）及び入力リソース（タッチパッド１６からの入力の権利。）の割り当ての制御とに相違がある。
【０１４７】
そこで、まず、この相違と、それによる効果を説明する。第１の実施形態に係る関連ページ検索管理部２１は、ブラウザ部１７が動作中に動作し、表示は、ブラウザ部１７によって表示されるＵＲＬ欄１５ａと、ブラウザ部表示欄１５ｂとに重ねて行われる。その結果、関連ページ検索管理部２１の動作を希望しない使用者は、ブラウザ部１７による表示の全てが視認可能でないことに違和感を覚える可能性がある。また、関連ページ検索管理部２１の動作をさせている使用者にとって、ブラウザ部１７が動作しているにも拘らず、ブラウザ部１７による表示の全てを視認することができないので、ブラウザ部１７を動作させる意味が少ないことがある。
【０１４８】
更に、タッチパッド１６は、ＵＲＬ欄１５ａへのタッチと、ブラウザ部表示欄１５ｂへのタッチとを、タッチされた座標に依存して制御部１１を介してブラウザ部１７へ通知するか、又は、関連ページ検索管理部２１へ通知するかの判断を行う必要がある。
【０１４９】
そこで、これらの課題を解決するため、概説すれば、第３の実施形態に係る制御部１１は、関連ページ検索管理部２１が装置の使用者の意思に従って動作するまで（図３に示すフローチャートでは、ステップＳ２１ｅまで。また、図５（ｃ）に示すキーワード抽出終了時画面の表示まで。）は、ブラウザ部１７に与えられた表示リソースを関連ページ検索管理部２１に与えない。即ち、ＵＲＬ欄１５ａと、ブラウザ部表示欄１５ｂとへの表示をさせない。その結果、関連ページ検索管理部２１は、ＵＲＬ欄１５ａと、ブラウザ部表示欄１５ｂとにソフトキーを表示させることができず、入力リソースを得ることができない。また、タッチパッド１６は、タッチされたことを制御部１１に通知する。
【０１５０】
そして、その動作を開始した後（図３に示すフローチャートでは、ステップＳ２１ｆの「タッチされた」以降。また、図５（ｄ）に示す機能稼働中アイコンタッチ後画面の表示以降。）、制御部１１は、表示リソースを関連ページ検索管理部２１に与え、ブラウザ部１７には与えない。その結果、ブラウザ部１７は、入力リソースを得ることができない。また、タッチパッド１６は、タッチされたことを制御部１１に通知することを要しない。更には、制御部１１は、ブラウザ部１７のタスクを待ち状態に置き、ＣＰＵリソースを用いさせない。
【０１５１】
このように、第３の実施形態に係る関連ページ検索管理部２１の、ひいては、関連ページ検索部２０の表示制御、及び、それに伴う入力制御以外の動作は、第１の実施形態における動作と相違はない。即ち、全く同様に、アクセスしているウェブページに関連するウェブページを、使用者の少ない入力操作によって検索することができる。そこで、以後、図３及び図４に示したフローチャートを再び参照して、第３の実施形態に係る移動通信装置の関連ページ検索管理部２１による表示制御、及び、その制御による表示部１５の表示を説明する。なお、第１の実施形態と同じ部分には同じ符号を付して説明を省略し、又は、簡単な説明に止める。
【０１５２】
図１５は、関連ページ検索管理部２１が動作を開始してからステップＳ２１ｇの操作メニューの表示に至るまでの表示部１５の表示を示し、第１の実施形態において、図５を参照して説明した表示に対応する。
【０１５３】
図１５（ａ）は、ステップＳ２１ａで関連ページ検索管理部２１が動作を開始した際のブラウザ部起動直後画面を示し、図５（ａ）と比較して、制御部１１によって表示が制御され、タッチが入力される通知アイコン欄１５ｒを図示した。なぜなら、この実施形態では、関連ページ検索管理部２１の動作に依存して通知アイコン欄１５ｒの少なくとも一部の表示が変化し、また、通知アイコン欄１５ｒ中の少なくとも一部へのタッチによって関連ページ検索管理部２１の動作が変化するからである。このブラウザ部起動直後画面が表示される際、通知アイコン欄１５ｒには関連ページ検索管理部２１の動作に依存した表示はされず、移動通信網通信部１２によって受信された電波の強度を示す、いわゆるアンテナピクトが表示されている例を示す。
【０１５４】
図１５（ｂ）は、ステップＳ２１ｂで、ブラウザ部１７内でウェブページのダウンロード開始のイベントが発生したとの通知を関連ページ検索管理部２１が受信した際のキーワード抽出中画面を示す。関連ページ検索管理部２１は、制御部１１に要求して、キーワード抽出中アイコン１５ｃ−２を通知アイコン欄１５ｒに表示させる。キーワード抽出中アイコン１５ｃ−２は、キーワード抽出中アイコン１５ｃと比較して小さい。しかし、その報知する内容は同じであり、ソフトキーではなく、砂時計状の画面を含む地味な表示であることも同じである。
【０１５５】
図１５（ｃ）は、ステップＳ２１ｄで、ブラウザ部１７内でウェブページのダウンロード終了のイベントが発生し、かつ、キーワード抽出部２５によって１つ以上のキーワードが抽出された旨の通知を関連ページ検索管理部２１が受信した際のキーワード抽出終了時画面を示す。関連ページ検索管理部２１は、制御部１１に要求して、キーワード抽出中アイコン１５ｃ−２に代えて、ソフトキーである機能稼働中アイコン１５ｄ−２を通知アイコン欄１５ｒに表示させる。
【０１５６】
機能稼働中アイコン１５ｄ−２は、機能稼働中アイコン１５ｄと比較して小さい。しかし、その報知する内容は同じであり、キーワード抽出中アイコン１５ｃ−２と比較して目立つ表示であることも同じである。更に、関連ページ検索管理部２１は、機能稼働中アイコン１５ｄ−２のタッチを、第１の実施形態で説明した機能稼働中アイコン１５ｄのタッチと同じとして動作する。
【０１５７】
図１５（ｄ）は、ステップＳ２１ｇで関連ページ検索管理部２１が表示させる機能稼働中アイコンタッチ後画面を示し、関連ページ検索管理部２１は、通知アイコン欄１５ｒの右端に戻りアイコン１５ｓを表示させる。この戻りアイコン１５ｓは、関連ページ検索管理部２１が装置の使用者の意思に従って動作中は常に表示されるソフトキーであり、このアイコンへのタッチによって、関連ページ検索管理部２１は、装置の使用者の意思に従って動作を開始する前の状態に戻る。
【０１５８】
この開始する前の状態とは、図３に示すフローチャートでは、ステップＳ２１ｅのステップであり、その際、図１５（ｃ）に示すキーワード抽出終了時画面が表示される。戻りアイコン１５ｓの表示がされる結果、以後説明する、前の状態に戻るためのソフトキーの全て（例えば、機能稼働中アイコン１５ｄ−２。）、特に、装置の使用者の意思に従って動作を開始する前の状態に戻るためのソフトキーは、表示されなくとも良い。
【０１５９】
以上説明した、関連ページ検索管理部２１による通知アイコン欄１５ｒへの表示は、全て、第１の実施形態で説明した関連ページ検索管理部２１に係る表示に含まれる。そこで、第１の実施形態で説明したように、ブラウザ部１７に対し、動作終了の制御信号が送信された場合、関連ページ検索管理部２１は、通知アイコン欄１５ｒへの表示を消去させ、関連ページ検索部２０の全ての動作を終了させる。また、ブラウザ部１７に対し、表示部１５への非表示の制御信号が送信された場合、関連ページ検索管理部２１は、通知アイコン欄１５ｒへの表示を消去させる。また、表示の制御信号が送信された場合、その表示を復旧させる。
【０１６０】
なお、関連ページ検索管理部２１が装置の使用者の意思に従って動作を開始する前の表示、即ち、図１５（ａ）〜（ｃ）に示す表示画面にも、戻りアイコン１５ｓと全く同じ表示である戻りアイコンが表示されることがある。この戻りアイコンは、その際に表示リソースを割り当てられているタスク、即ち、ブラウザ部１７への入力に用いられるソフトキーであり、関連ページ検索管理部２１の動作に依存せず、また、その動作に影響することがないので、図示及び説明を省略している。更には、第１の実施形態及び第２の実施形態においても通知アイコン欄に戻りアイコンが表示されることがあるが、同様に、その戻りアイコンは、ブラウザ部１７への入力に用いられるソフトキーであり、図示及び説明を省略した。
【０１６１】
更に、関連ページ検索管理部２１は、表示部１５の表示画面の中で、アプリケーション部に割り当てられる全ての領域、即ち、ＵＲＬ欄１５ａと、ブラウザ部表示欄１５ｂとの領域の割り当てを、制御部１１に要求して受ける。そして、割り当てられた領域に、操作メニュー１５ｅ−２と、関連ページ検索制御欄１５ｏ−２とを表示させる。
【０１６２】
操作メニュー１５ｅ−２は、操作メニュー１５ｅと同じ目的のソフトキーである。関連ページ検索制御欄１５ｏ−２は、ソフトキーである戻りキー１５ｏ−３を含む。戻りキー１５ｏ−３は、例えば、Ｕ字形の矢印である。戻りキー１５ｏ−３へのタッチがされると、関連ページ検索管理部２１は、ステップＳ２１ｅに移り、図１５（ｃ）に示す画面が表示される（フローチャートに図示せず）。なお、戻りキー１５ｏ−３へのタッチがされた場合の動作は、全ての場合について同じである。
【０１６３】
なお、戻りキー１５ｏ−３は、戻りアイコン１５ｓより大きく表示され、タッチし易いものの、タッチによる動作は同じであるから表示されないとして良く、また、その結果、関連ページ検索制御欄１５ｏ−２を表示させなくとも良い。この表示させなくとも良いことは、全ての場合について同じであり、以後説明を繰り返さない。
【０１６４】
操作メニュー１５ｅ−２と、関連ページ検索制御欄１５ｏ−２とが表示されない部分に、関連ページ検索管理部２１は、背景として、この機能稼働中アイコンタッチ後画面が表示される動作直前の、スクリーンショット、即ち、図１５（ｃ）に示すキーワード抽出終了時画面を静止画として記憶した画像を表示させる。このスクリーンショットは、ブラウザ部１７の動作に伴い、ＵＲＬ欄１５ａと、ブラウザ部表示欄１５ｂとに表示された画像である。この背景を、左上から右下へのハッチングを付して図示する。
【０１６５】
関連ページ検索管理部２１は、スクリーンショットをそのまま背景として用いても良く、また、その一部を用いても良い。更に、拡大又は縮小して用いても良い。なお、関連ページ検索管理部２１は、このスクリーンショットの表示形態を変更せずに、又は、変更して背景として表示させる。変更の一例は、地味な色に変えて表示させることである。地味な色とは、例えば、灰色に近づけることであり、色相を低くし、彩度を低くする。及び／又は、明度（表示部１５の輝度。）を低くした色である。この変更により、装置の使用者は、背景に気を取られ過ぎることがない。
【０１６６】
なお、以後説明する画面において、関連ページ検索管理部２１は、関連ページ検索管理部２１に割り当てられた表示画面で、かつ、関連ページ検索管理部２１によってウェブページの検索に係る使用者とのインターフェース表示、具体的には、メニューの表示、ソフトキーの表示、使用者への情報提供の表示等が表示されない部分には、常に、この背景を表示させる。なお、この背景の表示は、図示するに止めて説明を省略する。
【０１６７】
このスクリーンショットを背景として表示させることによって、装置の使用者は、ブラウザ部１７が表示していた内容の概要を知ることができ、所望のソフトキーの選択が容易である。また、ブラウザ部１７は待ち状態にあるため、アプリケーション部に割り当てられる領域へのタッチは、タッチされた位置がソフトキーである場合、ＵＩ入出力部２９を介して関連ページ検索管理部２１に通知され、ソフトキーでない場合、制御部１１を介してブラウザ部１７に通知されることはない。そこで、使用されるＣＰＵリソースの削減、ひいては、装置が消費する電力の削減が得られる。
【０１６８】
以上の説明で、入力リソース（タッチパッド１６からの入力の権利。）の割り当ては、ブラウザ部１７及び関連ページ検索管理部２１のいずれか一方にされるとした。キー入力部１６ａからの入力の権利は、入力リソースが割り当てられた一方に割り当てられるとしても良い。この権利も使用者の操作を入力する権利であり、入力リソースの割り当てと同じ制御によって、使用者が違和感を覚える可能性を低くすることができる。
【０１６９】
また、上記権利は、常に制御部１１に割り当てられ、制御部１１によって装置の各部へ通知されるとしても良い。この制御によれば、例えば、入力リソースが関連ページ検索管理部２１に割り当てられている際、急いでブラウザ部１７に、例えば、動作終了の指示を入力することが容易である。ここで、ブラウザ部１７の動作終了に伴い、関連ページ検索管理部２１を含む、関連ページ検索部２０の動作が終了することは、既に述べた通りである。
【０１７０】
また、その際、装置の使用者は、ブラウザ部１７及び関連ページ検索管理部２１以外の各部の動作を制御させることが容易である。特に、その制御が、装置の状態に依存する制御でなく、もっぱら使用者の意思に基づくものである場合、この効果は顕著である。そのような制御の一例は、移動通信網送受信部１３に発呼させることである。なぜなら、その制御が装置の状態に依存する場合、制御部１１は、新たに処理部を動作させ、その処理部のタスクに表示リソースや、入力リソースを割り当てることもできるからである。
【０１７１】
図１６は、関連ページ検索管理部２１がステップＳ２１ｉの検索中である旨の表示をする以降の表示部１５の表示を示し、第１の実施形態において、図６を参照して説明した表示に対応する。
【０１７２】
図１６（ａ）は、ステップＳ２１ｉで関連ページ検索管理部２１が検索クエリ生成部２７と、検索結果解析部２８とを動作させ、ウェブページ検索を行っている際に表示させる検索中画面を示し、関連ページ検索管理部２１は、検索中表示１５ｆ−２と、関連ページ検索制御欄１５ｏ−２とを表示させる。検索中表示１５ｆ−２は、検索中である旨の表示と、操作メニュー１５ｅ−２を介して入力されたカテゴリ（「話題」を例示した。）と、ソフトキーである中断キー１５ｆ−３とを含む。
【０１７３】
中断キー１５ｆ−３にタッチされると、関連ページ検索管理部２１は、ステップＳ２１ｇの動作に移り、図１５（ｄ）に示す機能稼働中アイコンタッチ後画面が表示される（フローチャートには図示せず。）。第１の実施形態で説明したように、機能稼働中アイコン１５ｄ−２のタッチによっても、関連ページ検索管理部２１は、検索を中断することができる。しかし、機能稼働中アイコン１５ｄ−２は、機能稼働中アイコン１５ｄに比較して小さいため、このように、中断キー１５ｆ−３の表示によって、装置の使用者は、容易に検索の中断を指示することができる。
【０１７４】
図１６（ｂ）は、ステップＳ２１ｊで検索結果が受信された場合、ステップＳ２１ｋで関連ページ検索管理部２１が表示させる検索結果画面を示す。関連ページ検索管理部２１は、検索結果表示１５ｈと、関連ページ検索制御欄１５ｏ−２とを表示させる。検索結果表示１５ｈは、第１の実施形態で説明した通りである。ここでは、アプリケーション部に割り当てられる領域の全てが、検索結果表示１５ｈと、関連ページ検索制御欄１５ｏ−２とによって用いられ、背景は表示されない例を示したが、これは必須ではない。なお、検索結果が、サムネイル画像、又は、サムネイル画像が記憶されたＵＲＬを含む場合の表示は、第１の実施形態に準じる。
【０１７５】
なお、この検索結果画面が表示されている際、装置の使用者は、関連ページ検索管理部２１の状態を使用者の意思に従って動作を開始する前の状態（図３に示すフローチャートでは、ステップＳ２１ｅのステップであり、その際、図１５（ｃ）に示すキーワード抽出終了時画面が表示される。）へ戻したいことがある。また、検索条件を変更して動作させることができる状態（図３に示すフローチャートでは、ステップＳ２１ｆの「タッチされた」状態であり、その際、図１５（ｄ）に示す機能稼働中アイコンタッチ後画面が表示される。）へ戻したいことがある。前者は、戻りアイコン１５ｓへのタッチによって可能であるが、後者のため、関連ページ検索管理部２１は、機能稼働中アイコン１５ｄ−２を表示させても良い。
【０１７６】
図１６（ｃ）は、ステップＳ２１ｍで検索結果表示１５ｈへタッチされた際に表示される関連ウェブページ画面を示す。関連ページ検索管理部２１は、ステップＳ２１ｎで制御部１１に要求して、ブラウザ部１７を動作させ、タッチされた検索結果表示１５ｈに係るウェブページへアクセスさせ、ステップＳ２１ｏで検索結果表示１５ｈと、関連ページ検索制御欄１５ｏ−２との表示を消去する。そして、表示される内容は異なるものの、図１５（ａ）に示す表示が行なわれ、続いて、表示の遷移が発生する。なお、この関連ウェブページ画面は、上記ウェブページのダウンロード及びキーワード抽出が終了した場合を示す。
【０１７７】
図１６（ｄ）は、ステップＳ２１ｊで検索結果がない旨が受信された場合、ステップＳ２１ｑで関連ページ検索管理部２１が表示させる検索結果なし画面を示す。関連ページ検索管理部２１は、検索結果なし表示１５ｉ−２と、関連ページ検索制御欄１５ｏ−２とを表示させる。検索結果なし表示１５ｉ−２は、検索結果がない旨の表示と、ソフトキーである次へキー１５ｉ−３とを含む。
【０１７８】
次へキー１５ｉ−３にタッチされると、関連ページ検索管理部２１は、ステップＳ２１ｅ、又は、ステップＳ２１ｇに移る。なお、このタッチなしで所定の検索結果なし報知時間が経過した場合、上記ステップに移っても良い。
【０１７９】
図１７は、関連ページ検索管理部２１がステップＳ２１ｓでキーワードが抽出されなかった旨の表示部１５の表示を示し、第１の実施形態において、図８を参照して説明した表示に対応する。この表示画面は、図１５（ｃ）に示すキーワード抽出終了時画面と比較して、機能稼働中アイコン１５ｄ−２に代えて、ソフトキーではない、キーワードなしアイコン１５ｋ−２が表示されている。キーワードなしアイコン１５ｋ−２は、キーワードなしアイコン１５ｋに準じた表示形態で表示される。
【０１８０】
（第４の実施形態）
本発明の第４の実施形態に係る移動通信装置は、第３の実施形態に係る移動通信装置に変形を施したものであり、その変形は、第２の実施形態に係る移動通信装置を得るために第１の実施形態に係る移動通信装置に施した変形と同じである。そこで、以下、第４の実施形態に係る移動通信装置の第１〜第３の実施形態に係る移動通信装置との相違点を説明する。なお、同じ部分には同じ符号を付して説明を省略し、又は、簡単な説明に止める。
【０１８１】
図１８〜図２２は、それぞれ第４の実施形態に係る機能稼働中アイコンタッチ後画面の第１の例、ＱＷＥＲＴＹ方式のソフトキーボード１５ｐが表示された例、機能稼働中アイコンタッチ後画面の第２の例、第３の例、第４の例を示し、図９〜図１３に示した第２の実施形態に係る例と対応している。
【０１８２】
これらの表示を比較すると、第２の実施形態においては、機能稼働中アイコン１５ｄが表示されているのに対し、第４の実施形態においては、機能稼働中アイコン１５ｄ−２が表示されている。また、第２の実施形態においては、ＵＲＬ欄１５ａと、ブラウザ部表示欄１５ｂとの一部が表示されているのに対し、第４の実施形態においては、背景としてスクリーンショットが表示されている。これらの相違については、第３の実施形態で説明した通りである。その他、戻りキー１５ｏ−３の表示についても、第３の実施形態で説明した通りである。
【０１８３】
（第４の実施形態の変形例）
第４の実施形態において、装置の使用者は、例えば、図１８に示す機能稼働中アイコンタッチ後画面中のキーワードソフトキー１５ｍへのタッチによってキーワードに加えてカテゴリを選択する。キーワード抽出部２５によって多数のキーワードが抽出された場合、関連ページ検索制御欄１５ｏ−２を用いて異なるキーワードソフトキー１５ｍが表示された画面を表示させるとした。
【０１８４】
しかし、関連ページ検索制御欄１５ｏ−２中のソフトキーである矢印へのタッチは、必ずしも容易ではない。そこで、関連ページ検索管理部２１は、表示部１５（通知アイコン欄１５ｒを除く。）を指等でなでる、即ち、指等を表示部１５に接触させ、その接触を保ったまま指等を移動させて離すことによって、上記表示された画面をなでた方向の画面へ切り替え、又は、スクロールさせても良い。このなでる間、指等がソフトキーに接触されたとしても、支障はない。なぜなら、既に述べたように、ソフトキーへのタッチは、厳密には、指等が接触され、その接触点が移動しないまま、その接触が行われなくなった場合であるためである。
【０１８５】
このなでることによるスクロールが可能であるのは、関連ページ検索管理部２１が動作を開始した後、表示リソース（通知アイコン欄１５ｒを除く。）は関連ページ検索管理部２１に与えられ、ブラウザ部１７に与えられることがないからである。そこで、このなでることによるスクロールは、当然に第３の実施形態にも適用することができる。即ち、図１８に示すキーワードソフトキー１５ｍが表示される画面に限らず、図１５（ｄ）に示す機能稼働中アイコンタッチ後画面、図１６（ｂ）に示す検索結果画面、図２０に示すキーワードソフトキー１５ｍ−２が表示される画面、図２１に示すキーワードソフトキー１５ｍ−３が表示される画面等に適用することができる。
【０１８６】
図２３は、図１８に示すキーワードソフトキー１５ｍが表示される画面に、このなでることによるスクロールを適用した際の画面の表示例を示す。この画面は、戻りキー１５ｏ−３を含め関連ページ検索制御欄１５ｏ−２が表示されていない。戻りキー１５ｏ−３は、戻りアイコン１５ｓによって同じ機能が提供されるので、また、ソフトキーである矢印はなでることによるスクロールによって同じ機能が提供されるので、それぞれ省くことが可能だからである。
【０１８７】
更に、図２３は、機能稼働中アイコン１５ｄ−２が表示されていない例を示す。既に述べたように、このアイコンは、戻りアイコン１５ｓによって同様な機能が提供されるので、省くことが可能だからである。なお、図２３には例示しなかったが、関連ページ検索制御欄１５ｏ−２の表示を省くことにより、関連ページ検索管理部２１は、より多くのキーワードソフトキー１５ｍを１画面に表示させることができることがある。
【０１８８】
なお、関連ページ検索制御欄１５ｏ−２では、関連ページ検索管理部２１は、キーワードソフトキー１５ｍの画面は全体で何画面あり、その中の何番目の画面が表示されているかを「１／２」なる表示によって示すとした。これに代えて、図２３では、表示中ページ表示１５ｔによって示す。表示中ページ表示１５ｔは、全体の画面数の矩形が列をなして表示されたものであり、その中の１つが他とは異なる表示形態であり、その異なる表示形態に対応する画面が表示されていることを示す。この例では、白色の矩形が表示されている画面を示すとし、全画面は、左右方向に２つあり、左側の画面が表示されていることを示す。
【０１８９】
なお、表示される情報全体の中で表示されている情報が如何なる部分であるかは、表示中ページ表示１５ｔによる他、スクロールバーによって表示しても良い。スクロールバーは、常に表示されても良い。また、全情報が１画面に表示されない場合に限り、常に表示されても良い。また、なでることによるスクロール中や、そのスクロールが終了してから所定の時間に渡って表示されても良い。更に、最後までスクロールした際に、「もっと見る」等の表示がされたソフトキーが表示され、そのキーへのタッチによって、表示される情報が増えるように制御されても良い。この制御は、表示される情報が特に多い場合、例えば、検索結果画面の表示に適している。
【０１９０】
（第５の実施形態）
第１〜第４の実施形態に係る移動通信装置は、表示部１５の表示画面は縦長である向きに置かれて用いられるものである。それに対して、第５の実施形態に係る移動通信装置は、装置が縦長である状態から時計回り９０度回転、反時計回り９０度回転、更には、１８０度回転された場合、その回転の反対方向に表示部１５の表示が回転し、装置の使用者は、常に正常な方向である表示を見る機能が追加された装置である。即ち、第５の実施形態に係る移動通信装置は、第１〜第４の実施形態に係る移動通信装置と比較して、表示部１５への表示の方向を変更する機能が追加された点が相違する。そこで、この相違点を説明する。
【０１９１】
まず、第５の実施形態に係る移動通信装置は、装置が置かれた方向を３軸加速度センサによって検出する方向検出部（図示せず）を更に備える。そして、制御部１１からの要求に応じて、及び、検出された方向が変化した場合、装置が置かれた方向を制御部１１に通知する。ここで、装置が置かれた方向は、縦長、時計回り９０度回転、及び反時計回り９０度回転の３つの中のいずれかである。
【０１９２】
制御部１１は、検出された方向の如何を問わず、通知アイコン欄を表示画面の上端に表示させるように制御する。また、各処理部の要求に応じて、及び、検出された方向が変化した場合、装置が置かれた方向を動作中の各処理部へ通知する。ブラウザ部１７は、装置が置かれた方向に依存して、装置の使用者は、常に正常な方向である表示を見るように、表示部１５に表示させる。
【０１９３】
ＵＩ入出力部２９は、関連ページ検索管理部２１によって指定された情報を表示する際の方向と配置とを、関連ページ検索管理部２１からの指示に従って表示部１５に表示させる。即ち、ＵＩ入出力部２９は、装置が縦長の方向である場合の表示に加えて、装置が横長の方向である場合の表示を表示部１５にさせる。これらの２つの表示は、配置が異なるものの同じ情報の表示である。図２４は、図２３に示すキーワードソフトキー１５ｍが表示される画面を横長の方向に表示させた画面の一例である。ここで、いずれの図でも、同じ数のキーワードソフトキー１５ｍが表示されるとしたが、これに限るものではない。また、背景であるスクリーンショットは、ブラウザ部１７が横長の方向で動作していた際に記憶されたものである。
【０１９４】
関連ページ検索管理部２１による装置が置かれた方向に依存した動作は、以下に説明する３つの動作の中のいずれかである。第１の動作では、関連ページ検索管理部２１は、常に所定の方向、例えば、縦長の方向であるとして関連ページ検索部２０を動作させる。即ち、関連ページ検索管理部２１は、装置の使用者の意思に従って動作を開始する際（図３に示すフローチャートでは、ステップＳ２１ｆの「タッチされた」と判断された際。また、キーワード抽出終了時画面（第１の実施形態では、図５（ｃ）に示す。）が消去される前。）、装置が置かれた方向を制御部１１に要求する。そして、通知された方向が縦長でない場合、装置が置かれた方向は縦長である旨を制御部１１に通知する。
【０１９５】
更に、関連ページ検索管理部２１は、装置の使用者の意思に従って動作中に、装置の方向が変化したとの通知を受けた場合、装置が置かれた方向は縦長である旨を制御部１１に通知する。そして、常に第１〜第４の実施形態で説明した画面を表示部１５に表示させると共に、制御部１１及びブラウザ部１７にも、装置が置かれた方向は縦長である場合の表示をさせる。この動作は、関連ページ検索部２０への入力、及び／又は、関連ページ検索部２０による表示は、方向が縦長である場合に最も使い易く、見易い場合に適しており、装置の使用者に装置を縦長の方向に置くことを促す効果がある。
【０１９６】
上記所定の方向が縦長ではない、即ち、時計回り９０度回転、及び反時計回り９０度回転のいずれかである場合も同様であり、関連ページ検索管理部２１は、常に装置が所定の方向であるとしてＵＩ入出力部２９に表示させ、更に、制御部１１及びブラウザ部１７にも、装置が所定の方向であるとして表示させる。
【０１９７】
第２の動作では、関連ページ検索管理部２１は、装置の使用者の意思に従って動作を開始する際に装置が置かれた方向（以後、初期方向と称する。）に従った表示をＵＩ入出力部２９にさせつつ、装置の使用者の意思に従って関連ページ検索部２０を動作させる。そして、その動作中に、装置の方向が初期方向以外へ変化したとの通知を受けた場合、装置が置かれた方向は初期方向である旨を制御部１１に通知する。即ち、装置の使用者に装置を常に初期方向に置くことを促す効果がある。
【０１９８】
第３の動作では、関連ページ検索管理部２１は、常に、制御部１１から通知される装置が置かれた方向に従った表示をＵＩ入出力部２９にさせつつ、装置の使用者の意思に従って動作関連ページ検索部２０を動作させる。即ち、装置が置かれた方向が変化したとの通知を受ける度に、表示の方向を変更する。ここで、第３、及び第４の実施形態に係る関連ページ検索管理部２１は、背景として用いられるスクリーンショットも、表示の方向を変更する必要がある。なぜなら、スクリーンショットは、ブラウザ部１７の過去の表示から作成され、関連ページ検索管理部２１が記憶させたものだからである。
【０１９９】
スクリーンショットの変更には、以下のいずれかの方法が用いられる。第１に、関連ページ検索管理部２１は、戻りアイコン１５ｓへのタッチがされたとみなして、装置の使用者の意思に従って動作を開始する直前の状態（図３に示すフローチャートのステップＳ２１ｅの状態。例えば、図１５（ｃ）に示すキーワード抽出終了時画面が表示される。）に移る。そして、装置が置かれた方向が変化した後のスクリーンショットを記憶して、上記戻りアイコン１５ｓへのタッチがされたとみなした際の状態に復帰する。その際、新たに記憶されたスクリーンショットを背景として用いる。なお、このキーワード抽出終了時画面は、表示部１５に表示されることなく、仮想的に表示され、その仮想的な表示からスクリーンショットを記憶することが好ましい。なぜなら、表示部１５の表示が変化しないからである。
【０２００】
第２に、関連ページ検索管理部２１は、装置の使用者の意思に従って動作を開始する際、装置が置かれた３通りの方向に対応するスクリーンショットを記憶する。このために、装置が置かれた方向を変更して制御部１１に通知し、その通知に応じて表示部１５の表示が変化する度にスクリーンショットを得る。なお、変化した表示は仮想的に表示され、その仮想的な表示からスクリーンショットを記憶することが好ましい。又は、３通りの方向において表示部１５に表示される情報の全てが仮想的な表示として制御部１１内に記憶されている場合、その仮想的な表示から切り出すことが好ましい。なぜなら、表示部１５の表示が変化しないからである。
【０２０１】
そして、装置が置かれた方向が変化したとの通知を受ける度に、関連ページ検索管理部２１は、記憶された３つのスクリーンショットの中から変化後の方向に対応するものを選んで背景として用いる。なお、必ずしも３通りの方向に対応するスクリーンショットを記憶する必要はなく、横長方向の１つのスクリーンショットを記憶し、時計回り９０度回転の方向、及び反時計回り９０度回転の方向の際に用いても良い。いずれかの方向の場合、記憶されたスクリーンショットを１８０度回転して用いる。
【０２０２】
（その他の実施形態）
以上説明した実施形態は、適宜組み合わせても良い。また、以上の説明は、本発明を、通話機能を有する移動通信装置に適用した形態を例にとって行ったが、これに限るものではない。本発明は、パソコン等のインターネットに接続される全ての装置に適用することが当然に可能である。本発明は以上の構成に限定されるものではなく、種々の変形が可能である。
【符号の説明】
【０２０３】
１１  制御部
１２  移動通信網通信部
１３  移動通信網送受信部
１４  通話部
１５  表示部
１５ａ  ＵＲＬ欄
１５ｂ  ブラウザ部表示欄
１５ｃ、１５ｃ−２  キーワード抽出中アイコン
１５ｄ、１５ｄ−２  機能稼働中アイコン
１５ｅ、１５ｅ−２  操作メニュー
１５ｆ、１５ｆ−２  検索中表示
１５ｆ−３  中断キー
１５ｇ  戻り指示表示
１５ｈ  検索結果表示
１５ｉ、１５ｉ−２  検索結果なし表示
１５ｉ−３  次へキー
１５ｊ  検索条件表示
１５ｋ、１５ｋ−２  キーワードなしアイコン
１５ｍ、１５ｍ−２、１５ｍ−３、１５ｍ−４  キーワードソフトキー
１５ｎ  キーワード入力欄
１５ｏ、１５ｏ−２  関連ページ検索制御欄
１５ｏ−３  戻りキー
１５ｐ  ソフトキーボード
１５ｑ  カテゴリソフトキー
１５ｒ  通知アイコン欄
１５ｓ  戻りアイコン
１５ｔ  表示中ページ表示
１６  タッチパッド
１６ａ  キー入力部
１７  ブラウザ部
２０  関連ページ検索部
２１  関連ページ検索管理部
２２  ブラウザ連携部
２３  本文領域抽出部
２５  キーワード抽出部
２６  キーワード記憶部
２７  検索クエリ生成部
２８  検索結果解析部
２９  ＵＩ入出力部
【図１】
2011164855.tif 000003
【図２】
2011164855.tif 000004
【図３】
2011164855.tif 000005
【図４】
2011164855.tif 000006
【図５】
2011164855.tif 000007
【図６】
2011164855.tif 000008
【図７】
2011164855.tif 000009
【図８】
2011164855.tif 000010
【図９】
2011164855.tif 000011
【図１０】
2011164855.tif 000012
【図１１】
2011164855.tif 000013
【図１２】
2011164855.tif 000014
【図１３】
2011164855.tif 000015
【図１４】
2011164855.tif 000016
【図１５】
2011164855.tif 000017
【図１６】
2011164855.tif 000018
【図１７】
2011164855.tif 000019
【図１８】
2011164855.tif 000020
【図１９】
2011164855.tif 000021
【図２０】
2011164855.tif 000022
【図２１】
2011164855.tif 000023
【図２２】
2011164855.tif 000024
【図２３】
2011164855.tif 000025
【図２４】
2011164855.tif 000026